(57)【要約】  カソードガスの一部をバイパスさせつつ燃料電池に供給する燃料電池システムで、バイパス弁開度、カソードガス圧力、及びカソードガス流量を含む湿潤制御パラメータを調節して燃料電池の湿潤状態を制御する燃料電池システムの湿潤状態制御方法であって、燃料電池を湿潤方向に制御する際に、バイパス弁開度の調節に優先して前記カソードガス流量及びカソードガス圧力の少なくとも何れか一方を調節する。
2017158957.tif 000002
【特許請求の範囲】
【請求項１】
カソードガスの一部をバイパスさせつつ燃料電池に供給する燃料電池システムで、湿潤制御パラメータを調節して前記燃料電池の湿潤状態を制御する燃料電池システムの湿潤状態制御方法であって、
前記湿潤制御パラメータが、バイパス弁開度、カソードガス圧力、及びカソードガス流量を少なくとも含み、
前記燃料電池を湿潤方向に制御する際に、前記バイパス弁開度の調節に優先して前記カソードガス流量及び前記カソードガス圧力の少なくとも何れか一方を調節する、
燃料電池システムの湿潤状態制御方法。
【請求項２】
請求項１に記載の燃料電池システムの湿潤状態制御方法であって、
前記燃料電池を乾燥方向に制御する際に、前記カソードガス流量及び前記カソードガス圧力の少なくとも何れか一方の調節に優先して、前記バイパス弁開度を調節する、
燃料電池システムの湿潤状態制御方法。
【請求項３】
カソードガスの一部をバイパスさせつつ燃料電池に供給する燃料電池システムで、湿潤制御パラメータを調節して前記燃料電池の湿潤状態を目標湿潤状態に近づけるように制御する燃料電池システムの湿潤状態制御方法であって、
前記湿潤制御パラメータが、バイパス弁開度、カソードガス圧力、及びカソードガス流量を少なくとも含み、
前記燃料電池を湿潤方向に制御する際には、
前記カソードガス流量の減少及び前記カソードガス圧力の増加の少なくとも何れか一方を実行し、
前記カソードガス流量の減少及び前記カソードガス圧力の増加の少なくとも何れか一方による前記燃料電池の湿潤方向への制御を補完するように、前記バイパス弁開度を増加させる、
燃料電池システムの湿潤状態制御方法。
【請求項４】
請求項３に記載の燃料電池システムの湿潤状態制御方法であって、
前記燃料電池を湿潤方向に制御する際には、
前記カソードガス圧力の最低値、及び前記バイパス弁開度の最低値に基づいて前記カソードガスの湿潤制御要求目標流量を演算し、
前記カソードガス流量の検出値、及び前記バイパス弁開度の最低値に基づいて前記カソードガスの湿潤制御要求目標圧力を演算し、
前記カソードガス圧力の検出値、前記カソードガス流量の検出値に基づいて前記バイパス弁開度の目標値を演算し、
前記カソードガス流量、前記カソードガス圧力、及び前記バイパス弁開度を、それぞれ、前記湿潤制御要求目標流量、前記湿潤制御要求目標圧力、及び前記バイパス弁開度の目標値に近づくように調節する、
燃料電池システムの湿潤状態制御方法。
【請求項５】
請求項３又は４に記載の燃料電池システムの湿潤状態制御方法であって、
前記燃料電池を乾燥方向に制御する際には、
前記バイパス弁開度を減少させる操作を行い、
前記バイパス弁開度の減少操作を補完するように、前記カソードガス流量の増加及び前記カソードガス圧力の減少の少なくとも何れか一方を実行する、
燃料電池システムの湿潤状態制御方法。
【請求項６】
請求項５に記載の燃料電池システムの湿潤状態制御方法であって、
前記燃料電池を乾燥方向に制御する際には、
前記カソードガスの圧力の最低値、及び前記カソードガス流量の最低値に基づいて前記バイパス弁開度の目標値を演算し、
前記バイパス弁開度の検出値、及び前記カソードガス流量の最低値に基づいて前記カソードガスの湿潤制御要求目標圧力を演算し、
前記バイパス弁開度の検出値、及び前記カソードガス圧力の検出値に基づいて前記カソードガスの湿潤制御要求目標流量を演算し、
前記バイパス弁開度、前記カソードガス圧力、及び前記カソードガス流量、を、それぞれ、前記バイパス弁開度の目標値、前記湿潤制御要求目標圧力、及び前記湿潤制御要求目標流量に近づくように調節する、
燃料電池システムの湿潤状態制御方法。
【請求項７】
請求項３〜６の何れか１項に記載の燃料電池システムの湿潤状態制御方法であって、
前記カソードガス圧力が圧力上限値を超えないように制限される、
燃料電池システムの湿潤状態制御方法。
【請求項８】
請求項７に記載の燃料電池システムの湿潤状態制御方法であって、
前記圧力上限値を、要求負荷、前記燃料電池の温度、及び目標とする湿潤状態の少なくとも何れか１つに基づいて演算する、
燃料電池システムの湿潤状態制御方法。
【請求項９】
請求項３〜８の何れか１項に記載の燃料電池システムの湿潤状態制御方法であって、
前記カソードガス流量がその下限値である流量下限値を下回らないように調節される、
燃料電池システムの湿潤状態制御方法。
【請求項１０】
請求項９に記載の燃料電池システムの湿潤状態制御方法であって、
前記流量下限値を、前記燃料電池に供給されるカソードガスの流量である燃料電池供給流量の要求を満たすように設定する、
燃料電池システムの湿潤状態制御方法。
【請求項１１】
請求項９又は１０に記載の燃料電池システムの湿潤状態制御方法であって、
前記流量下限値を、前記燃料電池における局所水つまりを防止し得るように設定する、
燃料電池システムの湿潤状態制御方法。
【請求項１２】
燃料電池と、
前記燃料電池を含むカソード系にカソードガスを供給するカソードガス供給装置と、
前記カソードガス供給装置から前記燃料電池に供給されるカソードガスの一部をバイパスするバイパス通路と、
前記バイパス通路に設けられるバイパス弁と、
前記バイパス弁の開度を調節するバイパス弁開度調節装置と、
カソードガス圧力を調節するカソードガス圧力調節装置と、
前記カソードガス供給装置により前記カソード系に供給されるカソードガス流量を調節するカソードガス流量調節装置と、
前記燃料電池の湿潤状態を取得する湿潤状態取得装置と、
前記バイパス弁の開度を取得するバイパス弁開度取得装置と、
前記カソードガス圧力を取得するカソードガス圧力取得部と、
前記カソードガス流量を取得するカソードガス流量取得部と、
前記バイパス弁開度調節装置によるバイパス弁開度の調節、前記カソードガス圧力調節装置によるカソードガス圧力の調節、及び前記カソードガス流量調節装置によるカソードガス流量の調節の優先順位を設定する優先順位設定部と、
を有し、
前記優先順位設定部は、
前記燃料電池を湿潤方向に制御する際に、前記バイパス弁開度調節装置によるバイパス弁開度の調節に対して、前記カソードガス圧力調節装置によるカソードガス圧力の調節及び前記カソードガス流量調節装置によるカソードガス流量の調節の少なくとも一方が優先されるように優先順位を設定する、
燃料電池システムの湿潤状態制御装置。
【請求項１３】
請求項１２に記載の燃料電池システムの湿潤状態制御装置であって、
前記優先順位設定部は、
前記燃料電池を乾燥方向に制御する際に、前記カソードガス圧力調節装置によるカソードガス圧力の調節及び前記カソードガス流量調節装置によるカソードガス流量の調節の少なくとも一方に対し、前記バイパス弁開度調節装置によるバイパス流量の調節を優先させる、
燃料電池システムの湿潤状態制御装置。
【発明の詳細な説明】
【技術分野】
【０００１】
この発明は、燃料電池システムの湿潤状態制御方法及び湿潤状態制御装置に関する。
【背景技術】
【０００２】
コンプレッサからカソード系に供給されるカソードガスの一部を、燃料電池をバイパスするようにバイパス通路に流す燃料電池システムが知られている。ＪＰ２０１０−１１４０３９Ａには、このような燃料電池システムの一例が開示されている。
【発明の概要】
【０００３】
ＪＰ２０１０−１１４０３９Ａの燃料電池システムにおいて、コンプレッサが燃料電池の負荷に応じた目標通りに作動していたとしても、アノードオフガスの希釈やターボサージ回避等の種々の観点から、カソード系の圧力や流量が負荷の要求とは異なって変化することがある。この結果、燃料電池に供給されるカソードガス流量が適切に維持されず、燃料電池の湿潤状態が好適に保たれない恐れがある。
【０００４】
本発明は、このような問題点に着目してなされたものであり、より好適に燃料電池の湿潤状態を制御し得る燃料電池システムの湿潤状態制御方法及び湿潤状態制御装置を提供することを目的とする。
【０００５】
本発明のある態様によれば、カソードガスの一部をバイパスさせつつ燃料電池に供給する燃料電池システムで、バイパス弁開度、カソードガス圧力、及びカソードガス流量を含む湿潤制御パラメータを調節して燃料電池の湿潤状態を制御する燃料電池システムの湿潤状態制御方法が提供される。特に、この湿潤状態制御方法では、燃料電池を湿潤方向に制御する際に、バイパス弁開度の調節に優先してカソードガス流量及びカソードガス圧力の少なくとも何れか一方を調節する。
【図面の簡単な説明】
【０００６】
【図１】図１は、本発明の実施形態における燃料電池システムの構成を示す図である。
【図２】図２は、湿潤制御にかかるコントローラの全体的な機能を説明するブロック図である。
【図３】図３は、膜湿潤Ｆ／Ｂ制御部による制御の詳細を説明する図である。
【図４】図４は、目標水収支の演算態様を説明する図である。
【図５】図５は、ウェット操作時における各湿潤制御パラメータの優先順位を設定するロジック説明する図である。
【図６】図６は、膜湿潤制御マップを示す図である。
【図７】図７は、バイパス開度とバイパス流量比率の関係を示すマップである。
【図８】図８は、目標圧力演算部の機能を説明する図である。
【図９】図９は、目標圧力の演算態様を説明するブロック図である。
【図１０】図１０は、目標流量演算部の機能を説明する図である。
【図１１】図１１は、目標流量の演算態様を説明するブロック図である。
【図１２】図１２は、空気流量・圧力Ｆ／Ｂ制御部の機能を説明する図である。
【図１３】図１３は、アノード系の制御を説明するブロック図である。
【図１４】図１４は、目標ＨＲＢ回転数マップの一例を示す。
【図１５】図１５は、燃料電池システムの湿潤制御を説明するフローチャートである。
【図１６】図１６は、ウェット操作の流れを説明するフローチャートである。
【図１７】図１７は、ウェット操作時における各湿潤制御パラメータの優先順位と、これら湿潤制御パラメータの増減傾向の関係を示した表である。
【図１８】図１８は、ある要求負荷におけるウェット操作時の燃料電池システムの状態の変化の一例を説明する図である。
【図１９】図１９は、ドライ操作の流れを説明するフローチャートである。
【図２０】図２０は、ドライ操作時における各湿潤制御パラメータの優先順位と、これら湿潤制御パラメータの増減傾向の関係を示した表である。
【図２１】図２１は、燃料電池システムの湿潤制御における経時的な流れを説明するタイムチャートである。
【発明を実施するための形態】
【０００７】
以下、添付図面を参照しながら本発明の実施形態について説明する。
【０００８】
図１は、本発明の実施形態における燃料電池システム１００の構成の一例を示す構成図である。
【０００９】
図に示す燃料電池システム１００は、燃料電池としての燃料電池スタック１に対して外部から発電に必要となるアノードガス（燃料）及びカソードガス（空気）を供給し、電気負荷に応じて燃料電池を発電させる電源システムを構成する。
【００１０】
燃料電池システム１００は、燃料電池スタック１と、カソードガス給排装置２と、アノードガス給排装置３と、スタック冷却装置４と、負荷装置５と、インピーダンス計測装置６と、コントローラ２００とを含む。
【００１１】
燃料電池スタック１は、上述のとおり、複数の燃料電池が積層された積層電池である。燃料電池スタック１は、負荷装置５に接続されて負荷装置５に電力を供給する。燃料電池スタック１は、例えば数百Ｖ（ボルト）の直流の電圧を生じる。また、燃料電池スタック１を構成する燃料電池は、主として、電解質膜と、アノード電極と、カソード電極とから構成されている。ここで、電解質膜は、適度な湿潤度（含水量）で良好な電気伝導性を示す。以下では、この各燃料電池における電解質膜の湿潤状態を、「燃料電池スタック１の湿潤状態」、「燃料電池の湿潤状態」、又は単に「湿潤状態」と記載する。
【００１２】
カソードガス給排装置２は、燃料電池スタック１にカソードガスを供給するとともに、燃料電池スタック１から排出されるカソードオフガスを大気に排出する装置である。
【００１３】
カソードガス給排装置２は、カソードガス供給通路２１と、コンプレッサ２２と、エアフローメータ２３と、インタークーラー２４と、カソード圧力センサ２５と、カソードガス排出通路２６と、カソード調圧弁２７、バイパス通路２８と、バイパス弁２９と、を含む。
【００１４】
カソードガス供給通路２１は、燃料電池スタック１にカソードガスを供給するための通路である。カソードガス供給通路２１の一端は開口しており、他端は、燃料電池スタック１のカソードガス入口孔に接続される。
【００１５】
コンプレッサ２２は、酸素を含む空気をカソードガス供給通路２１、燃料電池スタック１、バイパス通路２８、及びカソードガス排出通路２６からなるカソード系に供給する。コンプレッサ２２は、カソードガス供給通路２１の一端の開口端に設けられる。
【００１６】
また、コンプレッサ２２は、コンプレッサモータ２２ａにより駆動され、カソードガス供給通路２１の開口端から燃料電池システム１００内に空気を吸入し、カソードガス供給通路２１を介して燃料電池スタック１に供給する。コンプレッサモータ２２ａの回転速度、すなわちコンプレッサ２２の出力（以下では、コンプレッサ出力とも記載する）はコントローラ２００によって制御される。
【００１７】
具体的に、コンプレッサモータ２２ａには、その回転速度を検出する回転数センサ２２ｂが設けられている。回転数センサ２２ｂは、コンプレッサモータ２２ａの回転速度の検出信号をコントローラ２００に出力する。そして、コントローラ２００は、回転数センサ２２ｂからの検出信号に基づき、コンプレッサモータ２２ａの回転速度、すなわちコンプレッサ２２の出力を調節する。なお、コンプレッサ２２は、例えばターボ式コンプレッサや容積式コンプレッサにより構成することができる。
【００１８】
エアフローメータ２３は、コンプレッサ２２の入り口に設けられる。エアフローメータ２３は、カソードガス供給通路２１に供給されるカソードガスの流量を検出するカソードガス流量取得部として機能する。以下では、このカソードガスの流量のことを「コンプレッサ流量」とも記載する。エアフローメータ２３は、コンプレッサ流量の検出信号をコントローラ２００に出力する。
【００１９】
インタークーラー２４は、コンプレッサ２２からカソードガス供給通路２１に吐出されて燃料電池スタック１に送られる空気を冷却する。
【００２０】
カソード圧力センサ２５は、カソードガス供給通路２１において、インタークーラー２４と燃料電池スタック１との間で且つカソードガス供給通路２１とバイパス通路２８との合流部の上流に設けられる。カソード圧力センサ２５は、カソードガス排出通路２６におけるカソードガスの圧力を検出する。以下では、カソードガス排出通路２６におけるカソードガスの圧力のことを「カソードガス圧力」とも記載する。カソード圧力センサ２５は、カソードガス圧力の検出信号をコントローラ２００に出力する。
【００２１】
カソードガス排出通路２６は、燃料電池スタック１からカソードオフガスを排出するための通路である。カソードガス排出通路２６の一端は、燃料電池スタック１のカソードガス出口孔に接続され、他端は開口している。
【００２２】
カソード調圧弁２７は、カソードガス系の圧力を調整する。カソード調圧弁２７は、カソードガス排出通路２６において、カソードガス排出通路２６とバイパス通路２８との合流部の下流に設けられる。カソード調圧弁２７としては、例えば弁の開度を段階的に変更可能な電磁弁が用いられる。カソード調圧弁２７は、コントローラ２００によって開閉制御される。この開閉制御によってカソードガス圧力が所望の圧力に調節される。カソード調圧弁２７の開度が大きくなるほど、カソード調圧弁２７が開き、カソード調圧弁２７の開度が小さくなるほど、カソード調圧弁２７が閉じる。なお、カソード調圧弁２７は、カソードガス排出通路２６において、カソードガス排出通路２６とバイパス通路２８との合流部の上流に設けても良い。
【００２３】
バイパス通路２８は、コンプレッサ２２からのカソードガスの一部について、燃料電池スタック１をバイパスさせる通路である。本実施形態では、バイパス通路２８は、カソードガス供給通路２１におけるカソード圧力センサ２５の下流部分と、カソードガス排出通路２６におけるカソード調圧弁２７の上流部分に亘って接続されている。
【００２４】
バイパス弁２９は、バイパス通路２８に設けられている。バイパス弁２９は、燃料電池スタック１をバイパスしてカソードガス排出通路２６に供給するカソードガス流量（以下では、「バイパス流量」とも記載する）を調節する弁であり、コントローラ２００によって連続的に開度調節可能に構成されている。なお、以下では、コンプレッサ流量からこのバイパス流量を減じて得られる、燃料電池スタック１へのカソードガスの供給流量（燃料電池供給流量）を「スタック供給流量」とも記載する。
【００２５】
また、バイパス弁２９には、その開度を検出する開度センサ２９ａが設けられている。開度センサ２９ａは、バイパス弁２９の開度（以下では、単に「バイパス弁開度」とも記載する）の検出信号をコントローラ２００に出力する。
【００２６】
アノードガス給排装置３は、燃料電池スタック１にアノードガスを供給するとともに、燃料電池スタック１から排出されるアノードオフガスを燃料電池スタック１に導入して循環させる装置である。
【００２７】
アノードガス給排装置３は、高圧タンク３１と、アノードガス供給通路３２と、アノード調圧弁３３と、エゼクタ３４と、アノードガス循環通路３５と、アノードガス循環ブロワ３６と、アノード圧力センサ３７と、パージ通路３８と、パージ弁３９と、を含む。
【００２８】
高圧タンク３１は、燃料電池スタック１に供給されるアノードガスを高圧状態に保って貯蔵する。
【００２９】
アノードガス供給通路３２は、高圧タンク３１に貯蔵されたアノードガスを燃料電池スタック１に供給するための通路である。アノードガス供給通路３２の一端は、高圧タンク３１に接続され、他端は、エゼクタ３４を介して燃料電池スタック１のアノードガス入口孔に接続される。
【００３０】
アノード調圧弁３３は、燃料系を構成するアノードガス供給通路３２の圧力を調整する。アノード調圧弁３３は、高圧タンク３１とエゼクタ３４との間のアノードガス供給通路３２に設けられる。アノード調圧弁３３の開度を変化させることにより、燃料電池スタック１に供給されるアノードガスの圧力は上昇又は降下する。
【００３１】
アノード調圧弁３３としては、例えば弁の開度を段階的に変更可能な電磁弁が用いられる。アノード調圧弁３３は、コントローラ２００によって開閉制御される。この開閉制御によって、燃料電池スタック１に供給されるアノードガスの圧力が調節される。
【００３２】
エゼクタ３４は、アノード調圧弁３３と燃料電池スタック１との間のアノードガス供給通路３２に設けられる。エゼクタ３４は、アノードガス供給通路３２に対してアノードガス循環通路３５が合流する部分に設けられる機械式ポンプである。
【００３３】
アノードガス循環通路３５は、燃料系を構成する通路であり、アノードガス供給通路３２にエゼクタ３４の吸引口を介して接続される。
【００３４】
アノードガス循環ブロワ３６は、アノードガス循環通路３５内でエゼクタ３４の上流に設けられる。アノードガス循環ブロワ３６は、エゼクタ３４を介してアノードオフガスを燃料電池スタック１に循環させる。アノードガス循環ブロワ３６の回転速度はコントローラ２００によって制御される。これにより、アノードガス循環通路３５を循環するアノードガスの流量が調整される。以下では、燃料電池スタック１に循環されるアノードガスの流量のことを「アノードガス循環流量」とも記載する。
【００３５】
アノード圧力センサ３７は、エゼクタ３４と燃料電池スタック１との間のアノードガス供給通路３２に設けられる。アノード圧力センサ３７は、燃料電池スタック１に供給されるアノードガスの圧力を検出する。以下では、燃料電池スタック１に供給されるアノードガスの圧力のことを単に「アノードガス圧力」とも記載する。アノード圧力センサ３７は、アノードガス圧力を検出した信号をコントローラ２００に出力する。
【００３６】
パージ通路３８は、アノードガス循環通路３５から分岐して設けられており、カソード調圧弁２７よりも下流側のカソードガス排出通路２６に合流する。パージ通路３８は、アノードオフガスに含まれる窒素ガスや発電による生成水等の不純物を外部に排出する通路である。これにより、パージ通路３８を介して排出されるアノードオフガスは、カソードガス排出通路２６でカソードオフガスと混合されるので、混合ガス中の水素濃度が規定値以下に維持される。
【００３７】
パージ弁３９は、パージ通路３８に設けられる。パージ弁３９は、その開度に応じてパージ通路３８を介した不純物の排出量を調節する。パージ弁３９の開度は、コントローラ２００によって制御される。
【００３８】
なお、アノードガス循環通路３５とパージ通路３８の合流部に気液分離装置を設けて、不純物を液体成分と気体成分に分離し、液体成分を図示しない排出系統からシステム外部に排出するとともに、気体成分のみをパージ通路３８に流すようにしても良い。
【００３９】
スタック冷却装置４は、燃料電池スタック１の温度を冷却する装置である。スタック冷却装置４は、冷却水循環通路４１と、冷却水ポンプ４２と、ラジエータ４３と、冷却水バイパス通路４４と、三方弁４５と、入口水温センサ４６と、出口水温センサ４７とを含む。
【００４０】
冷却水循環通路４１は、燃料電池スタック１に冷却水を循環させる通路である。冷却水循環通路４１の一端は、燃料電池スタック１の冷却水入口孔に接続され、他端は、燃料電池スタック１の冷却水出口孔に接続される。
【００４１】
冷却水ポンプ４２は、冷却水循環通路４１に設けられる。冷却水ポンプ４２は、ラジエータ４３を介して燃料電池スタック１に冷却水を供給する。冷却水ポンプ４２の回転速度は、コントローラ２００によって制御される。
【００４２】
ラジエータ４３は、冷却水ポンプ４２よりも下流の冷却水循環通路４１に設けられる。ラジエータ４３は、燃料電池スタック１の内部で温められた冷却水をファンによって冷却する。
【００４３】
冷却水バイパス通路４４は、ラジエータ４３をバイパスする通路であって、燃料電池スタック１から排出される冷却水を燃料電池スタック１に戻して循環させる通路である。冷却水バイパス通路４４の一端は、冷却水循環通路４１において冷却水ポンプ４２とラジエータ４３との間で接続され、他端は、三方弁４５の一端に接続される。
【００４４】
三方弁４５は、燃料電池スタック１に供給される冷却水の温度を調整する。三方弁４５は、例えばサーモスタットにより実現される。三方弁４５は、ラジエータ４３と燃料電池スタック１の冷却水入口孔との間の冷却水循環通路４１において冷却水バイパス通路４４が合流する部分に設けられる。
【００４５】
入口水温センサ４６及び出口水温センサ４７は、冷却水の温度を検出する。冷却水の温度は、燃料電池スタック１の温度、又はカソードガスの温度として用いられる。
【００４６】
入口水温センサ４６は、燃料電池スタック１に形成された冷却水入口孔の近傍に位置する冷却水循環通路４１に設けられる。入口水温センサ４６は、燃料電池スタック１の冷却水入口孔に流入する冷却水の温度を検出する。以下では、燃料電池スタック１の冷却水入口孔に流入する冷却水の温度のことを「スタック入口水温」という。入口水温センサ４６は、スタック入口水温の検出信号をコントローラ２００に出力する。
【００４７】
出口水温センサ４７は、燃料電池スタック１に形成された冷却水出口孔の近傍に位置する冷却水循環通路４１に設けられる。出口水温センサ４７は、燃料電池スタック１から排出された冷却水の温度を検出する。以下では、燃料電池スタック１から排出された冷却水の温度のことを「スタック出口水温」という。出口水温センサ４７は、スタック出口水温の検出信号をコントローラ２００に出力する。
【００４８】
本実施形態では、コントローラ２００において入口水温センサ４６及び出口水温センサ４７のそれぞれの検出値の平均値が算出される。そして、この平均値がスタック温度として用いられる。なお、スタック温度は、入口水温センサ４６及び出口水温センサ４７のそれぞれの検出値の平均値とすることに限られず、例えば、コントローラ２００が、入口水温センサ４６と出口水温センサ４７のそれぞれの検出値の小さい方又は大きい方をスタック温度として取得しても良い。
【００４９】
負荷装置５は、燃料電池スタック１から供給される発電電力を受けて駆動する。負荷装置５としては、例えば、車両を駆動する電動モータや、電動モータを制御する制御ユニット、燃料電池スタック１の発電を補助する補機などが挙げられる。燃料電池スタック１の補機としては、例えば、コンプレッサ２２、アノードガス循環ブロワ３６、及び冷却水ポンプ４２などが挙げられる。
【００５０】
なお、負荷装置５を制御する制御ユニットは、負荷装置５の作動に必要な電力を、燃料電池スタック１に対する要求電力としてコントローラ２００に出力する。例えば、車両に設けられたアクセルペダルの踏込み量が大きくなるほど、負荷装置５の要求電力は大きくなる。本実施形態では、この負荷装置５の要求電力が要求負荷に相当する。
【００５１】
負荷装置５と燃料電池スタック１との間には、電流センサ５１と電圧センサ５２とが配置される。
【００５２】
電流センサ５１は、燃料電池スタック１の正極端子１ｐと負荷装置５の正極端子との間の電源線に接続される。電流センサ５１は、燃料電池スタック１から負荷装置５に出力される電流を検出する。以下では、燃料電池スタック１から負荷装置５に出力される電流のことを「スタック出力電流」とも記載する。電流センサ５１は、スタック出力電流の検出信号をコントローラ２００に出力する。
【００５３】
電圧センサ５２は、燃料電池スタック１の正極端子１ｐと負極端子１ｎとの間に接続される。電圧センサ５２は、正極端子１ｐと負極端子１ｎとの間の電圧である端子間電圧を検出する。以下では、燃料電池スタック１の端子間電圧のことを「スタック出力電圧」という。電圧センサ５２は、スタック出力電圧の検出信号をコントローラ２００に出力する。
【００５４】
インピーダンス計測装置６は、電解質膜の湿潤状態を取得する湿潤状態取得装置として機能する。インピーダンス計測装置６は、燃料電池スタック１に接続され、電解質膜の湿潤状態と相関のある燃料電池スタック１の内部インピーダンスを測定する。
【００５５】
一般に、電解質膜の含水量（水分）が少なくなるほど、すなわち電解質膜が乾き気味になるほど、内部インピーダンスは大きくなる。一方、電解質膜の含水量が多くなるほど、すなわち電解質膜が濡れ気味になるほど、内部インピーダンスは小さくなる。このため、本実施形態では、電解質膜の湿潤状態を示すパラメータとして、燃料電池スタック１の内部インピーダンスが用いられる。
【００５６】
そして、インピーダンス計測装置６は、例えば、電解質膜の電気抵抗を検出するのに適した高周波数の交流電流を供給し、出力される交流電圧の振幅を当該交流電流の振幅で除することにより、内部インピーダンスを算出する。
【００５７】
以下では、この高周波数の交流電圧及び交流電流に基づいて算出される内部インピーダンスをＨＦＲ（High Frequency Resistance）とも記載する。インピーダンス計測装置６は、算出したＨＦＲ値をＨＦＲ測定値としてコントローラ２００に出力する。
【００５８】
コントローラ２００は、中央演算装置（ＣＰＵ）、読み出し専用メモリ（ＲＯＭ）、ランダムアクセスメモリ（ＲＡＭ）、及び入出力インタフェース（Ｉ／Ｏインタフェース）を備えたマイクロコンピューターで構成される。
【００５９】
コントローラ２００は、少なくとも、インピーダンス計測装置６、回転数センサ２２ｂ、エアフローメータ２３、カソード圧力センサ２５、開度センサ２９ａ、アノード圧力センサ３７、入口水温センサ４６、出口水温センサ４７、及び大気圧センサ５０からの各検出信号と負荷装置５からの要求負荷などを入力信号として取得する。
【００６０】
特に、本実施形態において、コントローラ２００は、上記各入力信号に基づいて、コンプレッサ２２（コンプレッサモータ２２ａ）、カソード調圧弁２７、及びバイパス弁２９を操作して、コンプレッサ流量、カソードガス圧力、及びバイパス弁開度（バイパス流量）を調節する。さらにコントローラ２００は、アノード調圧弁３３の開度及びアノードガス循環ブロワ３６の出力を調節して、アノードガス流量及びアノードガス圧力を制御する。また、コントローラ２００は、燃料電池システム１００の運転状態に関するパラメータに応じて、冷却水ポンプ４２の出力及び三方弁４５の開度を調節して、燃料電池スタック１の温度を制御する。
【００６１】
特に、本実施形態では、コントローラ２００は、燃料電池スタック１の湿潤状態が発電に適した状態で維持されるように、コンプレッサ流量、カソードガス圧力、及びバイパス弁開度が調節される湿潤制御が行われる。
【００６２】
すなわち、本実施形態の湿潤制御では、コントローラ２００は、主として、コンプレッサ流量、カソードガス圧力、及びバイパス開度の３つの湿潤制御パラメータを制御する。すなわち、湿潤制御においてコントローラ２００により制御されるアクチュエータは、コンプレッサ２２、カソード調圧弁２７、及びバイパス弁２９である。
【００６３】
さらに、本実施形態において、コントローラ２００により実行される湿潤制御には、電解質膜の余剰な水分を減らすために、燃料電池スタック１の湿潤状態を乾燥（ドライ）側に遷移させる操作である「ドライ操作」、及び電解質膜の水分を増やすために、燃料電池スタック１の湿潤状態を湿潤方向に遷移させる「ウェット操作」が含まれる。
【００６４】
ウェット操作には、コンプレッサ流量を減少させる操作（コンプレッサ２２の出力を低下）、カソードガス圧力を増加させる操作（カソード調圧弁２７の開度の減少）、及びバイパス弁開度を増加させる操作（バイパス流量の増加）が含まれる。
【００６５】
ここで、コンプレッサ流量を減少させる操作によれば、スタック供給流量も減少するので、燃料電池スタック１の湿潤が進行することとなる。
【００６６】
また、カソードガス圧力を増加させる操作によれば、カソードガス圧力が増加するほど、燃料電池スタック１から排水される排水量が減少する。したがって、燃料電池スタック１内に水分がより保たれるようになり、燃料電池スタック１の湿潤がより進行することとなる。
【００６７】
さらに、バイパス弁開度を増加させる操作によれば、スタック供給流量が減少するので燃料電池スタック１の湿潤が進行することとなる。
【００６８】
また、ドライ操作には、バイパス弁開度を減少させる操作（バイパス流量の減少）、カソードガス圧力を減少させる操作（カソード調圧弁２７の開度の増加）、及びコンプレッサ流量を増加させる操作（コンプレッサ２２の出力の向上）が含まれる。
【００６９】
ここで、バイパス弁開度を減少させる操作によれば、スタック供給流量が増加するので燃料電池スタック１の乾燥が進行することとなる。
【００７０】
また、カソードガス圧力を減少させる操作によれば、カソードガス圧力が減少するほど、燃料電池スタック１から排水される排水量が増加する。したがって、燃料電池スタック１内に水分がより排出されるようになり、燃料電池スタック１の乾燥がより進行することとなる。
【００７１】
ここで、コンプレッサ流量は、要求負荷、希釈要求、及びサージング回避のための最低流量に応じて定められる。しかしながら、希釈要求やサージング回避の観点から、コンプレッサ流量が要求負荷に応じて必要なスタック供給流量を超える場合には、バイパス弁開度を増加させ、この余剰分をバイパス通路２８を介してバイパスさせ、スタック供給流量を適切に保つことが考えられる。
【００７２】
しかしながら、この場合、例えば、カソードガス圧力が低く、カソードガス供給通路２１とカソードガス排出通路２６の差圧が大きい状態でバイパス弁開度を増加させると、スタック供給流量が要求よりも減少することがある。また、コンプレッサ流量が、要求負荷に応じた下限流量に対して過剰な状態でバイパス弁開度を増加させると、コンプレッサ出力が過剰な状態に制御され、消費電力が増大する。
【００７３】
そこで、本実施形態では、バイパス弁開度、カソードガス圧力、及びカソードガス流量を湿潤制御パラメータとして、燃料電池の湿潤状態が目標よりも乾燥側であってウェット操作を行う際には、バイパス弁開度を増加させる操作に優先して、コンプレッサ流量を減少させる操作及びカソードガス圧力を増加させる操作を行うようにした。
【００７４】
これにより、ウェット操作の際に、コンプレッサ流量が十分に減少しない状態でバイパス弁開度が増加し、燃料電池スタック１に過剰にカソードガスが供給されることを防止することができる。また、カソードガス圧力が十分に増加していない状態でバイパス弁開度が増加し、スタック供給流量が低下して出力電圧やセル電圧が低下してしまうことを防止することができる。
【００７５】
さらに、燃料電池の湿潤状態が目標よりも湿潤側であってドライ操作を行う際には、コンプレッサ流量を増加させる操作及びカソードガス圧力を減少させる操作に優先して、バイパス弁開度を減少させる操作が行われる。
【００７６】
ここで、本実施形態における「優先」とは、ウェット操作又はドライ操作にあたり、コンプレッサ流量の調節、カソードガス圧力の調節、及びバイパス弁開度の調節の内、一の湿潤制御パラメータの調節量を最大化（又は支配的に）することを、他の湿潤制御パラメータの調節に対して優先させることを意味する。
【００７７】
例えば、本実施形態では、ウェット操作の場合においては、コンプレッサ流量を可能な限り多く調節し（優先順位１）、次に、カソード調圧弁２７の開度を可能な限り多く調節し（優先順位２）、最後に、バイパス弁開度を減少させる調節を行う（優先順位３）。
【００７８】
以下では、本実施形態にかかるウェット操作及びドライ操作にかかる制御構成及びそのロジックを詳細に説明する。
【００７９】
図２は、本実施形態における湿潤制御にかかるコントローラ２００の全体的な機能を説明するブロック図である。
【００８０】
図示のように、コントローラ２００は、膜湿潤Ｆ／Ｂ制御部Ｂ１０１と、目標圧力演算部Ｂ１０２と、目標流量演算部Ｂ１０３と、流量・圧力Ｆ／Ｂ制御部Ｂ１０４と、を有する。
【００８１】
膜湿潤Ｆ／Ｂ制御部Ｂ１０１は、燃料電池の湿潤状態の観点から定められるカソードガス圧力の目標値としての湿潤制御要求目標圧力と、燃料電池の湿潤状態の観点から定められるコンプレッサ流量の目標値としての湿潤制御要求目標流量と、を演算する。そして、膜湿潤Ｆ／Ｂ制御部Ｂ１０１は、演算した湿潤制御要求目標圧力及び湿潤制御要求目標流量を、それぞれ、目標圧力演算部Ｂ１０２と目標流量演算部Ｂ１０３に出力する。
【００８２】
目標圧力演算部Ｂ１０２は、入力された湿潤制御要求目標圧力に基づいて、カソードガス圧力の最終的な目標値である目標圧力を演算し、目標流量演算部Ｂ１０３と流量・圧力Ｆ／Ｂ制御部Ｂ１０４に出力する。
【００８３】
目標流量演算部Ｂ１０３は、入力された目標圧力及び湿潤制御要求目標流量に基づいて、コンプレッサ流量の最終的な目標値である目標流量を演算し、流量・圧力Ｆ／Ｂ制御部Ｂ１０４に出力する。
【００８４】
流量・圧力Ｆ／Ｂ制御部Ｂ１０４は、入力された目標圧力及び目標流量に基づいて、コンプレッサ２２及びカソード調圧弁２７をフィードバック制御する。以下では、図３〜図１２に基づいて、本実施形態にかかる湿潤制御におけるカソードの制御をより詳細に説明する。
【００８５】
図３は、膜湿潤Ｆ／Ｂ制御部Ｂ１０１による制御の詳細を説明する図である。
【００８６】
図示のように、膜湿潤Ｆ／Ｂ制御部Ｂ１０１には、負荷装置５からの要求負荷、インピーダンス計測装置６で算出されたＨＦＲ値、エアフローメータ２３からのコンプレッサ流量の検出値（以下では「コンプレッサ流量検出値」とも記載する）、カソード圧力センサ２５からのカソードガス圧力の検出値（以下では「カソードガス圧力検出値」とも記載する）、入口水温センサ４６及び出口水温センサ４７の検出値に基づくスタック温度、大気圧センサ５０からの大気圧検出値が入力される。そして、膜湿潤Ｆ／Ｂ制御部Ｂ１０１は、これら各値に基づいて湿潤制御要求目標圧力及び湿潤制御要求目標流量を演算する。ここで、膜湿潤Ｆ／Ｂ制御部Ｂ１０１による湿潤制御要求目標圧力及び湿潤制御要求目標流量の演算の詳細について説明する。
【００８７】
図４は、膜湿潤Ｆ／Ｂ制御部Ｂ１０１による目標水収支の演算態様を説明する図である。また、図５は、膜湿潤Ｆ／Ｂ制御部Ｂ１０１によるウェット操作時における各湿潤制御パラメータの優先順位を設定するロジックを説明する図である。
【００８８】
図４及び図５に示すように、膜湿潤Ｆ／Ｂ制御部Ｂ１０１は、目標ＨＦＲ演算部Ｂ１０１１と、目標水収支演算部Ｂ１０１２と、優先順位設定部Ｂ１０１３と、湿潤制御要求目標圧力演算部Ｂ１０１４と、湿潤制御要求目標流量演算部Ｂ１０１５と、目標バイパス弁開度演算部Ｂ１０１６と、を有している。
【００８９】
目標ＨＦＲ演算部Ｂ１０１１には、要求負荷が入力される。目標ＨＦＲ演算部Ｂ１０１１は、要求負荷に基づいて予め定められた膜湿潤制御マップからＨＦＲ値の目標値である目標ＨＦＲを演算する。
【００９０】
図６は、膜湿潤制御マップを示す図である。膜湿潤制御マップでは、要求負荷が相対的に小さい領域Ｉでは、要求発電量が小さく燃料電池内の液水量が低くすることができるので、目標ＨＦＲは相対的に大きい所定の一定値をとる。
【００９１】
また、要求負荷が中間の値をとる領域ＩＩでは、要求負荷が増加するにつれて燃料電池内をより湿潤方向に制御し発電状態を適切に維持する。したがって、この領域ＩＩでは、要求負荷が増加するにつれて目標ＨＦＲが小さくなる。
【００９２】
さらに、要求負荷が相対的に大きい領域ＩＩＩでは、コンプレッサ流量が十分に大きくなるため、燃料電池スタック１内に滞留する液水の影響が小さくなる。そのため、高要求負荷の範囲内の目標ＨＦＲは、相対的に最も小さい一定値に設定される。
【００９３】
図４に戻り、目標ＨＦＲ演算部Ｂ１０１１は、演算した目標ＨＦＲを出力する。
【００９４】
目標水収支演算部Ｂ１０１２には、目標ＨＦＲをＨＦＲ測定値で減算した値（以下では、この値を「ＨＦＲ偏差」とも記載する）が入力される。目標水収支演算部Ｂ１０１２は、ＨＦＲ偏差に基づいて目標水収支を演算する。
【００９５】
ここで、目標水収支とは、燃料電池スタック１の発電に伴って生成される水量と、燃料電池スタック１から燃料電池システム１００の外部に排出される水量との収支を意味する。
【００９６】
すなわち、目標水収支は、燃料電池において目標とする湿潤状態からの水分の過不足を表わすパラメータとなる。具体的には、目標水収支から燃料電池スタック１の実際の水収支である実水収支を減算した値が正の値である場合には、燃料電池が乾燥している状態でウェット操作が要求されることを意味する。一方で、目標水収支から実水収支を減算した値が負の値である場合には、燃料電池の水分が余剰状態でドライ操作が要求されることを意味する。したがって、燃料電池の湿潤状態を適切に保つ観点から、実水収支から目標水収支を減算した値をゼロとすることが目標とされる。
【００９７】
本実施形態において、目標水収支演算部Ｂ１０１２は、目標水収支ＱF_net_waterを以下の式（１）に基づいて算出する。
【数１】
2017158957.tif 000003
ただし、
ＱF_H2O_in：燃料電池の発電による生成水量
ＣC_H2O_out：カソード出口水蒸気濃度
ＣC_dry_out：カソード出口ドライガス濃度
ＱC_dry_out：カソード出口ドライガス流量
である。
【００９８】
ここで、カソード出口水蒸気濃度ＣC_H2O_outとは、燃料電池スタック１のカソード出口におけるカソードガスに含まれる水蒸気の濃度であり、例えば下記の式（２）に基づいて求められる。
【数２】
2017158957.tif 000004
ただし、
ＰCH2O_out：カソード出口水蒸気分圧
ＰC_out：カソード出口圧力
である。
【００９９】
さらに、カソード出口水蒸気分圧ＰCH2O_outとは、燃料電池スタック１のカソード出口におけるカソードガスに含まれる水蒸気の分圧であり、例えば下記の式（３）に基づいて求められる。
【数３】
2017158957.tif 000005
ただし、ＥＸＰは、自然対数を意味する。
【０１００】
また、カソード出口ドライガス濃度ＣC_dry_outとは、燃料電池スタック１のカソード出口におけるカソードガスに含まれる水蒸気以外の気体の濃度であり、下記の式（４）に基づいて求められる。
【数４】
2017158957.tif 000006
【０１０１】
さらに、カソード出口ドライガス流量ＱC_dry_outは、燃料電池スタック１のカソード出口におけるカソードガスに含まれる水蒸気以外の気体の流量であり、下記の式（５）に基づいて求められる。
【数５】
2017158957.tif 000007
ただし、
ＱS_in：スタック供給流量
Ｑo_exp：酸素消費流量
である。
【０１０２】
スタック供給流量ＱS_inは、既に述べたように、コンプレッサ流量から、バイパス通路２８にバイパスされるカソードガスの流量であるバイパス流量を減算することで求められる。
【０１０３】
また、本実施形態では、バイパス流量は、予め定められたマップにより、バイパス弁開度とコンプレッサ流量に基づいて算出することができる。
【０１０４】
図７は、バイパス開度とバイパス流量比率の関係を示すマップである。ここで、バイパス流量比率λとは、バイパス弁開度に応じたコンプレッサ流量の内のバイパス流量の割合を意味する。したがって、バイパス流量＝バイパス流量比率λ×コンプレッサ流量となる。なお、図７に示すバイパス流量マップを用いてバイパス弁開度からバイパス流量比率λが定まるので、コンプレッサ流量からバイパス流量を求めることができる。
【０１０５】
酸素消費流量Ｑo_expは、燃料電池スタック１内における電気化学反応によって消費されるカソードガス中の酸素の流量である。酸素消費流量Ｑo_expは、例えば、予め実験等により定められる酸素消費流量変換係数を要求負荷に乗じること求めることができる。
【０１０６】
そして、図４に戻り、目標水収支演算部Ｂ１０１２は、演算した目標水収支ＱF_net_waterを、優先順位設定部Ｂ１０１３に出力する。
【０１０７】
図５に示すように、優先順位設定部Ｂ１０１３には、コンプレッサ流量検出値、カソードガス圧力検出値、バイパス弁開度、大気圧検出値、及び目標水収支演算部Ｂ１０１２で演算した目標水収支ＱF_net_waterが入力される。
【０１０８】
優先順位設定部Ｂ１０１３は、これら入力された値に基づいて、湿潤制御に用いられるカソードガス圧力、コンプレッサ流量、及びバイパス弁開度の各湿潤制御パラメータを調節する優先度を設定する。
【０１０９】
優先順位設定部Ｂ１０１３は、ＨＦＲ計測値から予め定められた水収支マップに基づいて実水収支ＱF_net_water_Rを取得する。そして、優先順位設定部Ｂ１０１３は、目標水収支ＱF_net_waterと実水収支ＱF_net_water_Rに基づいて、ウェット操作を実施する必要があるか、ドライ操作を実施する必要があるかを判断する。
【０１１０】
具体的に、優先順位設定部Ｂ１０１３は、目標水収支ＱF_net_water−実水収支ＱF_net_water_R＞０である場合には、ウェット操作を実施する必要があると判断し、目標水収支ＱF_net_water−実水収支ＱF_net_water_R≦０である場合には、ドライ操作を実施する必要があると判断する。以下では、目標水収支ＱF_net_water−実水収支ＱF_net_water_Rを水収支偏差ΔＱとも記載する。
【０１１１】
また、優先順位設定部Ｂ１０１３は、湿潤状態制御パラメータとしての水収支偏差ΔＱ、スタック温度、コンプレッサ流量、及びバイパス弁開度を湿潤制御要求目標圧力演算部Ｂ１０１４に出力する。さらに、優先順位設定部Ｂ１０１３は、湿潤状態制御パラメータとしての水収支偏差ΔＱ、スタック温度、カソードガス圧力、及びバイパス弁開度を湿潤制御要求目標流量演算部Ｂ１０１５に出力する。また、優先順位設定部Ｂ１０１３は、湿潤状態制御パラメータとしての水収支偏差ΔＱ、スタック温度、コンプレッサ流量、及びカソードガス圧力を目標バイパス弁開度演算部Ｂ１０１６に出力する。
【０１１２】
特に、本実施形態では、優先順位設定部Ｂ１０１３は、上述した水収支偏差ΔＱの正負に基づいて行ったウェット操作を実施するのかドライ操作を実施するのかの判断結果に応じて、湿潤制御要求目標圧力演算部Ｂ１０１４に出力するコンプレッサ流量及びバイパス弁開度、湿潤制御要求目標流量演算部Ｂ１０１５に出力するカソードガス圧力及びバイパス弁開度、並びに目標バイパス弁開度演算部Ｂ１０１６に出力するコンプレッサ流量及びカソードガス圧力を適宜定める。
【０１１３】
先ず、ウェット操作を実施する必要があると判断した場合には、優先順位設定部Ｂ１０１３は、目標水収支、スタック温度、コンプレッサ流量としてのコンプレッサ流量検出値、バイパス弁開度としての０（全閉）を湿潤制御要求目標圧力演算部Ｂ１０１４に出力する。
【０１１４】
また、優先順位設定部Ｂ１０１３は、目標水収支、スタック温度、カソードガス圧力としてのカソードガス圧力検出値、及びバイパス弁開度としての値０を湿潤制御要求目標流量演算部Ｂ１０１５に出力する。
【０１１５】
さらに、優先順位設定部Ｂ１０１３は、目標水収支、スタック温度、コンプレッサ流量としてのコンプレッサ流量検出値、及びカソードガス圧力としてのカソードガス圧力検出値を目標バイパス弁開度演算部Ｂ１０１６に出力する。
【０１１６】
一方、ドライ操作を実施する必要があると判断した場合には、優先順位設定部Ｂ１０１３は、水収支偏差、スタック温度、コンプレッサ流量としての流量最低値、バイパス弁開度としてのバイパス弁開度検出値を湿潤制御要求目標圧力演算部Ｂ１０１４に出力する。
【０１１７】
また、優先順位設定部Ｂ１０１３は、目標水収支、スタック温度、カソードガス圧力としての大気圧検出値、バイパス弁開度としてのバイパス弁開度検出値を湿潤制御要求目標流量演算部Ｂ１０１５に出力する。
【０１１８】
さらに、優先順位設定部Ｂ１０１３は、目標水収支、スタック温度、コンプレッサ流量としての流量最低値、及びカソードガス圧力としての大気圧検出値を目標バイパス弁開度演算部Ｂ１０１６に出力する。
【０１１９】
次に、湿潤制御要求目標圧力演算部Ｂ１０１４は、優先順位設定部Ｂ１０１３から入力された水収支偏差ΔＱ、スタック温度、コンプレッサ流量、及びバイパス弁開度に基づいて、湿潤制御要求目標圧力を演算する。
【０１２０】
具体的に、湿潤制御要求目標圧力演算部Ｂ１０１４は、入力された目標水収支が大きい（又は小さい）ほど、湿潤制御要求目標圧力が高く（又は低く）なるように演算を行う。また、湿潤制御要求目標圧力演算部Ｂ１０１４は、入力されたスタック温度が大きい（又は小さい）ほど、湿潤制御要求目標圧力が高く（又は低く）なるように演算を行う。さらに、湿潤制御要求目標圧力演算部Ｂ１０１４は、入力されたコンプレッサ流量が高い（低い）ほど湿潤制御要求目標圧力が高く（低く）なるように演算を行う。さらに、湿潤制御要求目標圧力演算部Ｂ１０１４は、入力されたバイパス弁開度が高い（低い）ほど湿潤制御要求目標圧力が低く（高く）なるように演算を行う。
【０１２１】
湿潤制御要求目標流量演算部Ｂ１０１５は、優先順位設定部Ｂ１０１３から入力された目標水収支、スタック温度、カソードガス圧力、及びバイパス弁開度に基づいて、湿潤制御要求目標流量を演算する。
【０１２２】
具体的に、湿潤制御要求目標流量演算部Ｂ１０１５は、入力された目標水収支が大きい（又は小さい）ほど、湿潤制御要求目標流量が高く（又は低く）なるように演算を行う。また、湿潤制御要求目標流量演算部Ｂ１０１５は、スタック温度が大きい（又は小さい）ほど、湿潤制御要求目標流量が低く（又は高く）なるように演算を行う。また、湿潤制御要求目標流量演算部Ｂ１０１５は、入力されたカソードガス圧力が高い（又は低い）ほど湿潤制御要求目標流量が高く（又は低く）なるように演算を行う。さらに、湿潤制御要求目標流量演算部Ｂ１０１５は、入力されたバイパス弁開度が高い（又は低い）ほど湿潤制御要求目標流量が高く（又は低く）なるように演算を行う。
【０１２３】
目標バイパス弁開度演算部Ｂ１０１６は、優先順位設定部Ｂ１０１３から入力された目標水収支、スタック温度、コンプレッサ流量、及びカソードガス圧力に基づいて、目標バイパス弁開度を演算する。
【０１２４】
具体的に、目標バイパス弁開度演算部Ｂ１０１６は、入力された目標水収支が大きい（又は小さい）ほど、目標バイパス弁開度が高く（又は低く）なるように演算を行う。目標バイパス弁開度演算部Ｂ１０１６は、入力されたスタック温度が大きい（又は小さい）ほど、目標バイパス弁開度が高く（又は低く）なるように演算を行う。また、目標バイパス弁開度演算部Ｂ１０１６は、入力されたコンプレッサ流量が高い（又は低い）ほど目標バイパス弁開度が高く（又は低く）なるように演算を行う。さらに、目標バイパス弁開度演算部Ｂ１０１６は、入力されたカソードガス圧力が高い（又は低い）ほど目標バイパス弁開度が低く（又は高く）なるように演算を行う。
【０１２５】
次に、ウェット操作時における各目標値の演算について説明する。
【０１２６】
ウェット操作時においては、既に述べたように、湿潤制御要求目標流量演算部Ｂ１０１５には、目標水収支、スタック温度、カソードガス圧力としての大気圧検出値、及びバイパス弁開度としてのゼロが優先順位設定部Ｂ１０１３から入力される。
【０１２７】
ここで、大気圧検出値はカソードガス圧力として想定される最低値であり、バイパス弁開度がゼロであるとはバイパス弁２９が全閉であることを意味する。したがって、湿潤制御要求目標流量演算部Ｂ１０１５は、ウェット操作にあたり、カソードガス圧力が最も低く、且つバイパス弁開度が最も低いことを前提に、湿潤制御要求目標流量を演算することとなる。すなわち、湿潤制御要求目標流量は、燃料電池を湿潤方向に制御する上で可能な限り小さい値として演算されることとなる。
【０１２８】
また、ウェット操作時において、湿潤制御要求目標圧力演算部Ｂ１０１４には、目標水収支、スタック温度、コンプレッサ流量の検出値、及びバイパス弁開度としてのゼロが入力される。
【０１２９】
ここで、湿潤制御要求目標圧力演算部Ｂ１０１４は、ウェット操作にあたり、バイパス弁開度を最も低い０としつつ、コンプレッサ流量として湿潤制御要求目標流量により減少方向（燃料電池スタック１の湿潤方向）に調節されている検出値を用いて、湿潤制御要求目標圧力を演算することとなる。すなわち、湿潤制御要求目標圧力は、ウェット操作において、バイパス弁開度が最も低いことを前提とする一方で、湿潤状態を調節すべくコンプレッサ流量が減少されているものとして湿潤制御要求目標圧力を演算する。
【０１３０】
さらに、ウェット操作時において、目標バイパス弁開度演算部Ｂ１０１６には、目標水収支、スタック温度、コンプレッサ流量の検出値、及びカソードガス圧力の検出値が入力される。
【０１３１】
したがって、目標バイパス弁開度演算部Ｂ１０１６は、コンプレッサ流量として上記湿潤制御要求目標流量により減少方向（燃料電池スタック１の湿潤方向）に調節されている検出値、及びカソードガス圧力として上記湿潤制御要求目標圧力により増加方向（燃料電池スタック１の湿潤方向）に調節されている検出値に基づいて、目標バイパス弁開度を演算することとなる。すなわち、目標バイパス弁開度は、コンプレッサ流量の減少及びカソードガス圧力の増加により燃料電池の湿潤方向への制御がなされている前提で、バイパス弁開度の増加量が最小限に設定されるように演算されることとなる。
【０１３２】
以上のように、ウェット操作時における湿潤制御要求目標圧力演算部Ｂ１０１４、湿潤制御要求目標流量演算部Ｂ１０１５、及び目標バイパス弁開度演算部Ｂ１０１６による各湿潤制御パラメータの目標値の演算態様によれば、ウェット操作を実行するにあたり、コンプレッサ流量を減少させる操作が、燃料電池の湿潤方向への制御することに最も寄与するように湿潤制御要求目標流量が演算される。
【０１３３】
次に、カソードガス圧力を増加させる操作が、燃料電池の湿潤方向への制御に寄与するように湿潤制御要求目標圧力が演算される。そして、最後に、バイパス弁開度を増加させる操作による燃料電池の湿潤方向への制御に対する寄与が最も低くなるように、目標バイパス弁開度が演算される。
【０１３４】
次に、ドライ操作について説明する。
【０１３５】
ドライ操作時においては、目標バイパス弁開度演算部Ｂ１０１６には、目標水収支、スタック温度、コンプレッサ流量として流量最低値、及びカソードガス圧力として大気圧検出値が入力される。
【０１３６】
ここで、流量最低値とは、燃料電池スタック１の湿潤状態を最大にするときのコンプレッサ流量である。なお、流量最低値は、低すぎるとカソードガスの燃料電池スタック１への供給量不足による発電不良が生じるおそれがある。その一方で、高すぎるとサージング等による騒音が発生しやすくなるおそれがある。したがって流量最低値は、これらを総合的に考慮して燃料電池スタック１の性能を確保できる範囲で最も低い値が採用される。この流量最低値は、予め実験によって燃料電池の運転状態に応じて設定されている。
【０１３７】
したがって、目標バイパス弁開度演算部Ｂ１０１６は、燃料電池を乾燥方向に制御するにあたり、コンプレッサ流量が流量最低値であり、カソードガス圧力が大気圧検出値であることを前提として、目標バイパス弁開度を演算する。すなわち、目標バイパス弁開度演算部Ｂ１０１６は、目標バイパス弁開度を、バイパス弁開度が可能な限り小さく設定されるように演算される。
【０１３８】
また、ドライ操作時において、湿潤制御要求目標圧力演算部Ｂ１０１４には、目標水収支、スタック温度、コンプレッサ流量としての流量最低値、及びバイパス弁開度として検出値が入力される。
【０１３９】
これにより、湿潤制御要求目標圧力演算部Ｂ１０１４は、コンプレッサ流量として燃料電池スタック１の乾燥側への制御に対する寄与が最も低い流量最低値、及びバイパス弁開度として上記目標バイパス弁開度により減少方向（燃料電池スタック１の乾燥方向）に調節されている検出値に基づいて、湿潤制御要求目標圧力を演算する。
【０１４０】
さらに、ドライ操作時において、湿潤制御要求目標流量演算部Ｂ１０１５には、目標水収支、スタック温度、バイパス弁開度の検出値、及びカソードガス圧力の検出値が入力される。したがって、湿潤制御要求目標流量演算部Ｂ１０１５は、バイパス弁開度として上記目標バイパス弁開度により減少方向（燃料電池スタック１の乾燥方向）に調節されている検出値、及びカソードガス圧力として上記湿潤制御要求目標圧力により減少方向（燃料電池スタック１の乾燥方向）に調節されている検出値に基づいて、湿潤制御要求目標流量を演算することとなる。
【０１４１】
以上のように、ドライ操作時における湿潤制御要求目標圧力演算部Ｂ１０１４、湿潤制御要求目標流量演算部Ｂ１０１５、及び目標バイパス弁開度演算部Ｂ１０１６による目標値の演算態様によれば、バイパス弁開度の調節によるドライ操作が最も優先して行われる。特に、バイパス弁開度の減少、カソードガス圧力の減少、及びコンプレッサ流量の増加の優先順位でドライ操作が行われる。
【０１４２】
そして、図５に示すように、湿潤制御要求目標圧力演算部Ｂ１０１４、湿潤制御要求目標流量演算部Ｂ１０１５、及び目標バイパス弁開度演算部Ｂ１０１６は、ウェット操作時及びドライ操作時の何れの場合においても、演算した湿潤制御要求目標圧力、及び湿潤制御要求目標流量をそれぞれ、目標圧力演算部Ｂ１０２及び目標流量演算部Ｂ１０３に出力する。
【０１４３】
また、本実施形態では、図２及び図３に示すように、膜湿潤Ｆ／Ｂ制御部Ｂ１０１は、目標バイパス弁開度演算部Ｂ１０１６で演算された目標バイパス弁開度に基づき、バイパス弁２９の開度が目標バイパス弁開度に近づくように当該バイパス弁２９をフィードバック制御する（図２参照）。すなわち、バイパス弁２９は、膜湿潤Ｆ／Ｂ制御部Ｂ１０１により、燃料電池の湿潤状態に応じて行われるウェット操作やドライ操作に応じて適宜開閉されることとなる。
【０１４４】
図８は、図２に示す目標圧力演算部Ｂ１０２の機能を説明する図である。図示のように、目標圧力演算部Ｂ１０２には、膜湿潤Ｆ／Ｂ制御部Ｂ１０１で演算された湿潤制御要求目標圧力、要求負荷、アノード圧力センサ３７からのアノードガス圧力の検出値、及びスタック温度が入力される。目標圧力演算部Ｂ１０２は、これらパラメータに基づいて、カソードガス圧力の最終的な目標値である目標圧力を演算する。
【０１４５】
図９は、目標圧力演算部Ｂ１０２における目標圧力の演算態様を説明するブロック図である。
【０１４６】
図示のように、目標圧力演算部Ｂ１０２は、酸素分圧確保要求空気圧力算出部Ｂ１０２１と、過剰昇圧防止上限圧力算出部Ｂ１０２２と、マックスセレクト部Ｂ１０２３と、ミニマムセレクト部Ｂ１０２４と、マックスセレクト部Ｂ１０２５と、を有している。
【０１４７】
酸素分圧確保要求空気圧力算出部Ｂ１０２１には、要求負荷が入力される。酸素分圧確保要求空気圧力算出部Ｂ１０２１は、要求負荷に基づき、予め定められた酸素分圧確保要求空気圧力マップから酸素分圧確保要求空気圧力を算出する。
【０１４８】
ここで、酸素分圧確保要求空気圧力とは、要求負荷に応じた燃料電池スタック１の発電力を確保すべく定められた燃料電池スタック１内の酸素濃度の要求を満たすために定められるカソードガス圧力の最低値である。
【０１４９】
したがって、酸素分圧確保要求空気圧力マップでは、要求負荷が大きくなって燃料電池スタック１内の電気化学反応により消費されるべき酸素量が増加するにつれて、求めるべき酸素分圧確保要求空気圧力の値が高くなっている。
【０１５０】
そして、酸素分圧確保要求空気圧力算出部Ｂ１０２１は、算出した酸素分圧確保要求空気圧力をマックスセレクト部Ｂ１０２３に出力する。
【０１５１】
過剰昇圧防止上限圧力算出部Ｂ１０２２には、要求負荷及びスタック温度が入力される。過剰昇圧防止上限圧力算出部Ｂ１０２２は、要求負荷及びスタック温度に基づき、予め定められた過剰昇圧防止上限圧力マップから、過剰昇圧防止上限圧力を算出する。
【０１５２】
ここで、過剰昇圧防止上限圧力とは、ウェット操作やドライ操作において、カソードガス圧力が上昇し続けることを防止する観点から定められるカソードガス圧力の上限値である。
【０１５３】
過剰昇圧防止上限圧力マップでは、要求負荷が大きくなるにつれて、求めるべき過剰昇圧防止上限圧力が高くなる。また、過剰昇圧防止上限圧力マップでは、スタック温度が高くなるにつれて、求めるべき過剰昇圧防止上限圧力が高くなる。
【０１５４】
このような過剰昇圧防止上限圧力マップの傾向は、高負荷状態や高温時においては、過剰昇圧防止上限圧力を相対的に高く設定する一方で、低負荷状態や低温時においては、過剰昇圧防止上限圧力を相対的に低く設定する。
【０１５５】
なお、過剰昇圧防止上限圧力算出部Ｂ１０２２では、要求負荷及びスタック温度に代えて又はこれらとともに、目標ＨＦＲ演算部Ｂ１０１１で演算された目標ＨＦＲ又は目標水収支等の燃料電池スタック１の湿潤状態を考慮して過剰昇圧防止上限圧力を定めるようにしても良い。特に、過剰昇圧防止上限圧力を、燃料電池スタック１が乾燥側に移行するにつれて高くしても良い。
【０１５６】
特に、低負荷状態、低温時、及び燃料電池スタック１の乾燥時において、過剰昇圧防止上限圧力を相対的に低く設定しておけば、バイパス弁２９が閉塞される場合であってもカソードガス圧力が過剰に増加することが抑制され、コンプレッサ２２の消費電力を減少させることができ、燃費の改善や騒音の抑制に寄与することができる。
【０１５７】
次に、マックスセレクト部Ｂ１０２３には、酸素分圧確保要求空気圧力算出部Ｂ１０２１で算出された酸素分圧確保要求空気圧力及び湿潤制御要求目標圧力演算部Ｂ１０１４で演算された湿潤制御要求目標圧力が入力される。そして、マックスセレクト部Ｂ１０２３は、これら入力された酸素分圧確保要求空気圧力及び湿潤制御要求目標圧力の内の大きい方をミニマムセレクト部Ｂ１０２４に出力する。
【０１５８】
これにより、ミニマムセレクト部Ｂ１０２４から出力された値では、燃料電池スタック１における発電量の要求に応じた酸素濃度の確保、及び燃料電池スタック１の湿潤制御において要求されるカソードガス圧力の確保の双方が考慮されることとなる。
【０１５９】
ミニマムセレクト部Ｂ１０２４には、マックスセレクト部Ｂ１０２３から出力された圧力値、及び過剰昇圧防止上限圧力算出部Ｂ１０２２で算出された過剰昇圧防止上限圧力が入力される。ミニマムセレクト部Ｂ１０２４は、これら入力された圧力値及び過剰昇圧防止上限圧力の内の小さい方をマックスセレクト部Ｂ１０２５に出力する。
【０１６０】
これにより、ミニマムセレクト部Ｂ１０２４から出力された値では、燃料電池スタック１内の酸素濃度の確保及び湿潤制御において要求される値を満たしつつも、過剰昇圧防止上限圧力を超えないように制限することが考慮される。
【０１６１】
さらに、マックスセレクト部Ｂ１０２５には、ミニマムセレクト部Ｂ１０２４から入力される圧力値、及びアノードガス圧力の検出値から許容差圧上限を減算して得られる膜間差圧許容上限値が入力される。
【０１６２】
ここで、許容差圧上限とは、燃料電池の電解質膜を保護する観点から、燃料電池スタック１内のアノードガス圧力とカソードガス圧力の差圧として許容される上限の圧力である。したがって、アノードガス圧力の検出値から許容差圧上限を減算することで、燃料電池の電解質膜を保護する観点から許容されるカソードガス圧力の上限としての膜間差圧許容上限圧力を得ることができる。
【０１６３】
そして、マックスセレクト部Ｂ１０２５は、ミニマムセレクト部Ｂ１０２４から入力される圧力値と上記膜間差圧許容上限圧力の内の大きい方を目標圧力として、目標流量演算部Ｂ１０３及び流量・圧力Ｆ／Ｂ制御部Ｂ１０４に出力する。
【０１６４】
これにより、カソードガス圧力の最終的な目標値である目標圧力は、膜間差圧の過度な上昇を制限しつつ、燃料電池スタック１内の酸素濃度の確保及び湿潤制御において要求を満たし、過剰昇圧防止上限圧力を超えないように設定されることとなる。
【０１６５】
図１０は、目標流量演算部Ｂ１０３の機能を説明する図である。図示のように、目標流量演算部Ｂ１０３には、要求負荷、アノードガス圧力の検出値、スタック温度、大気圧検出値、湿潤制御要求目標流量、及び目標圧力が入力される。目標流量演算部Ｂ１０３は、これら入力された値に基づいて、コンプレッサ流量の最終的な目標値である目標流量を演算する。
【０１６６】
図１１は、目標流量演算部Ｂ１０３における目標流量の演算態様を説明するブロック図である。
【０１６７】
図示のように、目標流量演算部Ｂ１０３は、酸素分圧確保下限流量算出部Ｂ１０３１と、圧力確保要求流量算出部Ｂ１０３２と、パージ水素希釈要求流量算出部Ｂ１０３３と、負荷／酸素消費流量変換部Ｂ１０３４と、マックスセレクト部Ｂ１０３５と、を有している。
【０１６８】
酸素分圧確保下限流量算出部Ｂ１０３１には、要求負荷が入力される。酸素分圧確保下限流量算出部Ｂ１０３１は、要求負荷に基づき、予め定められた酸素分圧確保下限流量マップから酸素分圧確保下限流量を算出する。酸素分圧確保下限流量とは、燃料電池スタック１内の酸素濃度の要求を満たす観点から定められた予め実験等で得られるコンプレッサ流量の下限値である。
【０１６９】
したがって、酸素分圧確保下限流量マップでは、要求負荷が大きくなって燃料電池スタック１内の電気化学反応により消費される酸素量が増加するにつれて、求めるべき酸素分圧確保下限流量の値が高くなっている。
【０１７０】
なお、このコンプレッサ流量の下限値は、燃料電池スタック１内のフラッディングや局所水つまりを防止する観点から定めても良い。特に、燃料電池スタック１内の酸素濃度を確保しつつ、フラッディングや局所水つまりを防止し得る値に設定されることが好ましい。
【０１７１】
そして、酸素分圧確保下限流量算出部Ｂ１０３１は、算出した酸素分圧確保要求空気流量をマックスセレクト部Ｂ１０３５に出力する。
【０１７２】
圧力確保要求流量算出部Ｂ１０３２には、目標圧力演算部Ｂ１０２からの目標圧力及びスタック温度が入力される。圧力確保要求流量算出部Ｂ１０３２は、目標圧力及びスタック温度に基づき、予め定められた圧力確保要求流量マップから、圧力確保要求流量を算出する。なお、ここで、圧力確保要求流量とは、スタック温度に応じて、サージング回避の観点から目標圧力を確保するために要求されるコンプレッサ流量の最低値である。
【０１７３】
圧力確保要求流量マップでは、目標圧力が高くなるにつれて、求めるべき圧力確保要求流量が高くなる。また、圧力確保要求流量マップでは、スタック温度が高くなるにつれて、求めるべき圧力確保要求流量が低くなるよう補正される。
【０１７４】
そして、圧力確保要求流量算出部Ｂ１０３２は、算出した圧力確保要求流量をマックスセレクト部Ｂ１０３５に出力する。
【０１７５】
パージ水素希釈要求流量算出部Ｂ１０３３には、アノードガス圧力の検出値及び大気圧検出値が入力される。パージ水素希釈要求流量算出部Ｂ１０３３は、入力されたこれらパラメータに基づき、予め定められたパージ水素希釈要求流量マップからパージ水素希釈要求流量を算出する。パージ水素希釈要求流量は、燃料電池スタック１から排出されるアノード排ガスを希釈するために要求されるコンプレッサ流量である。
【０１７６】
パージ水素希釈要求流量マップでは、アノードガス圧力の検出値が大きくなるほど、求めるべきパージ水素希釈要求流量が大きくなる。これは、アノードガス圧力が高くなるほど、希釈に必要なコンプレッサ流量が大きくなるためである。また、パージ水素希釈要求流量マップでは、大気圧検出値が大きくなるほど、求めるべきパージ水素希釈要求流量が小さくなるよう補正される。これは、大気圧が大きくなると、カソードガス供給通路２１とカソードガス排出通路２６の差圧が大きくなり、バイパス流量が大きくなるため、コンプレッサ流量としてのパージ水素希釈要求流量を低くすることができるためである。
【０１７７】
負荷／酸素消費流量変換部Ｂ１０３４には、要求負荷が入力される。負荷／酸素消費流量変換部Ｂ１０３４は、入力された要求負荷に予め実験等で定められた負荷／酸素消費流量変換係数を乗じて燃料電池スタック１における酸素消費流量を算出する。なお、負荷／酸素消費流量変換部Ｂ１０３４は、要求負荷と燃料電池スタック１における酸素消費流量の関係を規定する所定のマップに基づいて酸素消費流量を算出しても良い。
【０１７８】
そして、本実施形態では、パージ水素希釈要求流量算出部Ｂ１０３３で算出されたパージ水素希釈要求流量に、補正値としての上記酸素消費流量を加算してマックスセレクト部Ｂ１０３５に出力する。このように、パージ水素希釈要求流量に、燃料電池スタック１において電気化学反応で消費される酸素流量を表す酸素消費流量を加える補正を行うことで、パージ水素希釈要求流量の精度がより向上する。
【０１７９】
マックスセレクト部Ｂ１０３５には、湿潤制御要求目標流量演算部Ｂ１０１５からの湿潤制御要求目標流量、酸素分圧確保下限流量算出部Ｂ１０３１からの酸素分圧確保要求空気流量、圧力確保要求流量算出部Ｂ１０３２からの圧力確保要求流量、及び補正されたパージ水素希釈要求流量が入力される。
【０１８０】
マックスセレクト部Ｂ１０３５は、これら湿潤制御要求目標流量、酸素分圧確保要求空気流量、圧力確保要求流量、及びパージ水素希釈要求流量の内の最大の値を目標流量として流量・圧力Ｆ／Ｂ制御部Ｂ１０４に出力する。
【０１８１】
これにより、最終的な目標流量は、要求負荷に応じた燃料電池スタック１内の酸素分圧の確保、燃料電池スタック１の湿潤制御における要求、燃料電池スタック１へのカソードガスの圧力の確保、及び希釈要求の全てを満たした値となる。
【０１８２】
図１２は、流量・圧力Ｆ／Ｂ制御部Ｂ１０４の機能を説明する図である。図示のように、流量・圧力Ｆ／Ｂ制御部Ｂ１０４には、目標圧力演算部Ｂ１０２で演算された目標圧力、目標流量演算部Ｂ１０３で演算された目標流量、カソードガス圧力の検出値、及びコンプレッサ流量の検出値が入力される。
【０１８３】
流量・圧力Ｆ／Ｂ制御部Ｂ１０４は、入力されたこれら値に基づいて、コンプレッサ出力、及びカソード調圧弁２７の開度を調節する。
【０１８４】
本実施形態では、流量・圧力Ｆ／Ｂ制御部Ｂ１０４は、コンプレッサ流量が目標流量に収束するように、コンプレッサ出力を調節する。また、流量・圧力Ｆ／Ｂ制御部Ｂ１０４は、カソードガス圧力が目標圧力に収束するように、カソード調圧弁２７の開度を調節する。
【０１８５】
次に、アノード系の制御について説明する。
【０１８６】
図１３は、コントローラ２００におけるアノード系の制御を説明するブロック図である。図示のように、コントローラ２００は、目標水素圧力演算部Ｂ１０５と、水素調圧弁Ｆ／Ｂ制御部Ｂ１０６と、目標ＨＲＢ（Hydrogen recirculation blower）回転数演算部Ｂ１０７と、ＨＲＢＦ／Ｂ制御部Ｂ１０８と、を有する。
【０１８７】
図示のように、目標水素圧力演算部Ｂ１０５には、要求負荷及びカソードガス圧力の検出値が入力される。目標水素圧力演算部Ｂ１０５は、これら入力された値に基づいて、所定の目標アノードガス圧力マップを用いて目標アノードガス圧力を演算する。
【０１８８】
水素調圧弁Ｆ／Ｂ制御部Ｂ１０６には、演算された目標アノードガス圧力及びアノードガス圧力の検出値が入力される。水素調圧弁Ｆ／Ｂ制御部Ｂ１０６は、アノードガス圧力の検出値が目標アノードガス圧力に収束するように、アノード調圧弁３３の開度を制御する。
【０１８９】
また、目標ＨＲＢ回転数演算部Ｂ１０７には、要求負荷が入力される。目標ＨＲＢ回転数演算部Ｂ１０７は、入力された要求負荷に基づいて所定の目標ＨＲＢ回転数マップからアノードガス循環ブロワ３６の目標回転数である目標ＨＲＢ回転数を演算する。
【０１９０】
図１４は、目標ＨＲＢ回転数マップの一例を示す。図示のように、要求負荷が増加するにつれて、すなわち燃料電池内の電気化学反応で消費されるべきアノードガス量が増加するにつれて、目標ＨＲＢ回転数が高い値に設定される。
【０１９１】
図１３に戻り、ＨＲＢＦ／Ｂ制御部Ｂ１０８には、目標ＨＲＢ回転数演算部Ｂ１０７で演算された目標ＨＲＢ回転数が入力される。ＨＲＢＦ／Ｂ制御部Ｂ１０８は、入力された目標ＨＲＢ回転数に基づきアノードガス循環ブロワ３６の回転数を制御する。
【０１９２】
以下では、本実施形態における燃料電池システム１００の湿潤制御についてより詳細に説明する。
【０１９３】
図１５は、本実施形態における燃料電池システム１００の湿潤制御を説明するフローチャートである。この制御の処理手順は、所定の制御周期で繰り返し実行される。
【０１９４】
ステップＳ１０においてコントローラ２００は、燃料電池スタック１の運転状態を検出する。本実施形態では、コントローラ２００の指示に従って、エアフローメータ２３がコンプレッサ流量を検出し、カソード圧力センサ２５がカソードガス圧力を検出する。さらに、開度センサ２９ａが、バイパス弁２９の開度を検出する。また、コントローラ２００は、入口水温センサ４６及び出口水温センサ４７による冷却水温度の検出値に基づいてスタック温度の検出値を演算する。
【０１９５】
ステップＳ２０においてコントローラ２００は、負荷装置５の要求負荷を取得する。
【０１９６】
ステップＳ３０においてコントローラ２００は、インピーダンス計測装置６から、電解質膜の湿潤状態と相関のあるＨＦＲ測定値を取得する。
【０１９７】
ステップＳ４０においてコントローラ２００の目標ＨＦＲ演算部Ｂ１０１１（図４参照）は、要求負荷に基づいて目標ＨＦＲを演算する。
【０１９８】
ステップＳ５０においてコントローラ２００の目標水収支演算部Ｂ１０１２（図４参照）は、ＨＦＲ測定値が目標ＨＦＲに収束するように、すなわちＨＦＲ偏差に基づいて目標水収支を演算する。
【０１９９】
ステップＳ６０においてコントローラ２００の優先順位設定部Ｂ１０１３（図５参照）は、ＨＦＲ計測値から実水収支を求める。
【０２００】
ステップＳ７０においてコントローラ２００の優先順位設定部Ｂ１０１３は、ウェット操作を実施するか否かを判断する。具体的には、既に説明したように、優先順位設定部Ｂ１０１３は、目標水収支と実水収支の大小関係を判定し、目標水収支−実水収支＞０ならばウェット操作を実施すると判断し、そうでない場合、すなわち目標水収支−実水収支≦０ならばウェット操作を実施しないと判断する。
【０２０１】
上記ステップＳ７０においてウェット操作を実施すると判断されると、ステップＳ８０においてコントローラ２００がウェット操作処理を実行する。また、上記ステップＳ７０においてウェット操作を実施しないと判断されると、ステップＳ９０においてコントローラ２００がドライ操作を実行する。
【０２０２】
以下では、ウェット操作及びドライ操作の流れを説明する。
【０２０３】
図１６は、ステップ８０で実行されるウェット操作の流れを説明するフローチャートである。
【０２０４】
ステップＳ８１において、湿潤制御要求目標流量演算部Ｂ１０１５（図５参照）が湿潤制御要求目標流量を演算する。既に図５において説明したように、湿潤制御要求目標流量演算部Ｂ１０１５は、目標水収支、スタック温度、カソードガス圧力としての大気圧検出値、及びバイパス弁開度としてのゼロに基づいて湿潤制御要求目標流量を演算する。
【０２０５】
したがって、湿潤制御要求目標流量演算部Ｂ１０１５は、ウェット操作にあたり、これらカソードガス圧力が最も低く、且つバイパス弁開度が最も低いことを前提に、湿潤制御要求目標流量を演算することとなる。すなわち、湿潤制御要求目標流量は、燃料電池を湿潤方向に制御することに最も寄与する最小の値として演算されることとなる。
【０２０６】
ステップＳ８２において、湿潤制御要求目標圧力演算部Ｂ１０１４は、湿潤制御要求目標圧力を演算させる。既に図５において説明したように、湿潤制御要求目標圧力演算部Ｂ１０１４は、目標水収支、スタック温度、コンプレッサ流量の検出値、及びバイパス弁開度としてのゼロに基づいて、湿潤制御要求目標圧力を演算する。
【０２０７】
すなわち、湿潤制御要求目標圧力演算部Ｂ１０１４は、バイパス弁開度を最も低い０としつつ、湿潤制御要求目標流量により減少方向（燃料電池スタック１の湿潤方向）に調節されているコンプレッサ流量としての検出値を用いて、湿潤制御要求目標圧力を演算する。
【０２０８】
ステップＳ８３において、目標バイパス弁開度演算部Ｂ１０１６が、目標バイパス弁開度を演算する。既に図５において説明したように、目標バイパス弁開度演算部Ｂ１０１６は、目標水収支、スタック温度、コンプレッサ流量の検出値、及びカソードガス圧力の検出値に基づいて目標バイパス弁開度を演算する。
【０２０９】
すなわち、目標バイパス弁開度演算部Ｂ１０１６は、コンプレッサ流量の減少及びカソードガス圧力の増加により燃料電池の湿潤方向への制御がなされている前提で、バイパス弁開度の増加量が最小限に設定されるように目標バイパス弁開度を演算することになる。
【０２１０】
ステップＳ８４においてコントローラ２００は、ステップＳ８１で演算された湿潤制御要求目標流量、ステップＳ８２で演算された湿潤制御要求目標圧力、及びステップＳ８３で演算された目標バイパス弁開度に基づいて、コンプレッサ２２、カソード調圧弁２７、及びバイパス弁２９を制御する。
【０２１１】
具体的に、目標流量演算部Ｂ１０３（図１１参照）が、ステップＳ８１で演算された湿潤制御要求目標流量等に基づいて、図１１で説明したロジックにしたがい、目標流量を算出する。そして、流量・圧力Ｆ／Ｂ制御部Ｂ１０４（図１２参照）が、算出された目標流量及びコンプレッサ流量検出値に基づいてコンプレッサ出力を調節する。
【０２１２】
また、目標圧力演算部Ｂ１０２（図９参照）が、ステップＳ８２で演算された湿潤制御要求目標圧力に基づいて、図９で説明したロジックにしたがい、目標圧力を算出する。そして、流量・圧力Ｆ／Ｂ制御部Ｂ１０４（図１２参照）が、算出された目標圧力及びカソードガス圧力検出値に基づいてカソード調圧弁開度を調節する。
【０２１３】
さらに、膜湿潤Ｆ／Ｂ制御部Ｂ１０１（図３参照）が、ステップＳ８３で演算された目標バイパス弁開度に基づいてバイパス弁開度を調節する。
【０２１４】
したがって、カソードガス圧力を大気圧検出値及びバイパス弁開度をゼロとして演算された湿潤制御要求目標流量に基づく目標流量で定まるコンプレッサ流量は、湿潤制御パラメータとして最も優先された第１位湿潤制御パラメータとなる。
【０２１５】
一方、図１１において説明したように、目標流量は、湿潤制御要求目標流量、酸素分圧確保下限流量、圧力確保要求流量、及びパージ水素希釈要求流量の内の最大値として設定されるので、目標流量は酸素分圧確保下限流量を下回らない。したがって、本実施形態ではコンプレッサ流量は酸素分圧確保下限流量を下回らないように調節されることとなる。
【０２１６】
また、コンプレッサ流量を検出値及びバイパス弁開度をゼロとして演算された湿潤制御要求目標圧力に基づく目標圧力により定まるカソードガス圧力は、湿潤制御パラメータとして２番目に優先された第２位湿潤制御パラメータとなる。
【０２１７】
一方、図９において説明したロジックに従えば、目標圧力は過剰昇圧防止上限圧力を超えないように設定される。したがって、本実施形態では、カソードガス圧力は過剰昇圧防止上限圧力を超えないように調節されることとなる。
【０２１８】
さらに、コンプレッサ流量を検出値及びカソードガス圧力を検出値として演算された目標バイパス弁開度により定まるバイパス弁開度は、湿潤制御パラメータとして最も優先度が低い第３位湿潤制御パラメータとなる。
【０２１９】
ここで、図１７において、ウェット操作時における各湿潤制御パラメータの優先順位と、これら湿潤制御パラメータのその増減傾向の関係を現した表を示す。
【０２２０】
図示のように、ウェット操作では、第１位湿潤制御パラメータとしてのコンプレッサ流量が減少するように、コンプレッサ出力が低下される。また、このコンプレッサ流量の減少が実行された上で、第２位湿潤制御パラメータとしてのカソードガス圧力が増加するようにカソード調圧弁２７の開度が減少される。さらに、コンプレッサ流量の減少及びカソードガス圧力の増加が実行された上で、バイパス流量が増加するように第３位湿潤制御パラメータとしてのバイパス弁開度が増加される。
【０２２１】
すなわち、ウェット操作において、コンプレッサ流量の減少、カソードガス圧力の増加、及びバイパス弁開度の増加の優先順位で、燃料電池スタック１の湿潤方向への制御が行われることとなる。
【０２２２】
図１８は、ある要求負荷におけるウェット操作時の燃料電池システム１００の状態の変化の一例を説明する図である。ここで、図に示す符号「Ｃ１」で示す直線の矢印は、コンプレッサ２２の出力を低下させてコンプレッサ流量を減少させる操作を表す。すなわち、図１８から明らかであるが、この操作においてはバイパス弁開度が一定ならば、スタック流量が減少することとなる。
【０２２３】
また、符号「Ｃ２」で示す屈折した矢印は、カソード調圧弁２７の開度を減少させる操作を表す。そして、符号「Ｃ３」で示す直線の矢印は、バイパス弁開度を増加させる操作、すなわちバイパス流量を増加させる操作を表す。
【０２２４】
また、図１８においては、スタック温度がある温度Ｔ１であるときの目標湿潤状態線及びスタック温度がある温度Ｔ２であるときの目標湿潤状態線を点線で示している（Ｔ１＜Ｔ２）。さらに、図１８では、コンプレッサ２２のサージング回避の観点から定められるカソードガス圧力に対するスタック供給流量の最低値を表すカソード系運転限界線を一点鎖線で示している。また、酸素分圧確保下限流量及び過剰昇圧防止上限圧力を破線で示している。
【０２２５】
図１８では、ウェット操作を行い、燃料電池システム１００の運転点を、現在の運転点から目標の運転点へ遷移させることを想定している。ここで、現在の運転点は、スタック温度がある温度Ｔ１であり、当該温度Ｔ１に応じた目標湿潤状態を満たしている状態である。なお、目標湿潤状態とは、水収支偏差ΔＱがゼロとなる状態である。
【０２２６】
一方、目標の運転点は、スタック温度が温度Ｔ２（＞Ｔ１）であり、当該温度Ｔ２に応じた目標湿潤状態を満たすある運転点である。したがって、燃料電池システム１００の運転点を現在の運転点から目標の運転点へ遷移させるには、燃料電池をより湿潤させるようにウェット操作を行われることとなる。
【０２２７】
ウェット操作においては、先ず、矢印Ｃ１で示すように、現在の運転点からコンプレッサ流量を減少させる。既に説明したように目標流量は酸素分圧確保下限流量を下回らないように調節されるので（図１１参照）、コンプレッサ流量（スタック供給流量）は酸素分圧確保下限流量で下げ止まる。
【０２２８】
次に、矢印Ｃ２で示すように、カソードガス圧力を増加させる。既に説明したように目標圧力は過剰昇圧防止上限圧力を超えないように調節されるので（図９参照）、カソードガス圧力は過剰昇圧防止上限圧力で上げ止まる。ここで、矢印Ｃ２では、カソードガス圧力が過剰昇圧防止上限圧力を越えて増加しないように調節されていることで、カソードガス圧力が過剰に増加することが抑制される。
【０２２９】
特に、このカソードガス圧力を増加させる操作では、運転点をカソード系運転限界線に維持するように、コンプレッサ流量も増加する。しかしながら、コンプレッサ流量が増加し続けると、コンプレッサ出力が高くなり、電力消費量の増大に起因する燃費の低下が懸念される。また、コンプレッサ流量が増加すると、スタック供給流量が増加し、燃料電池スタック１の過乾燥を誘発する恐れもある。
【０２３０】
このような懸念に対して、本実施形態ではカソードガス圧力が過剰昇圧防止上限圧力を超えないように制限していることで、コンプレッサ２２の消費電力の増大や燃料電池スタック１の過乾燥の発生を抑制することができる。
【０２３１】
さらに、矢印Ｃ３で示すように、バイパス弁開度を増加させて、スタック供給流量を減少させ、燃料電池を湿潤方向にし、燃料電池システム１００を目標運転点に到達させる。
【０２３２】
このように、本実施形態では、ウェット操作を行うにあたり、コンプレッサ流量を減少させる操作を、バイパス弁開度を増加させる操作に優先して実行している。これにより、コンプレッサ流量が流量下限値に低下する前にバイパス弁開度を増加させた結果、スタック供給流量確保の観点から目標流量が高く設定されてしまい、コンプレッサ出力が過剰に増加することによる消費電力の増大や騒音の発生を抑制することができる。
【０２３３】
また、本実施形態では、カソードガス圧力を増加させる操作を、バイパス弁開度を増加させる操作に優先して実行している。したがって、カソードガス圧力が低い状態でバイパス弁開度を増加させた結果、スタック供給流量が減少し、燃料電池スタック１の出力電圧の低下や燃料電池セル電圧のばらつきが増大してしまうことを抑制することができる。
【０２３４】
図１９は、図１５のステップＳ９０で実行されるドライ操作の流れを説明するフローチャートである。
【０２３５】
ステップＳ９１において、目標バイパス弁開度演算部Ｂ１０１６は、目標バイパス弁開度を演算する。既に図５において説明したように、ドライ操作では、目標バイパス弁開度演算部Ｂ１０１６は、目標水収支、スタック温度、コンプレッサ流量としての流量最低値、及びカソードガス圧力としての大気圧検出値に基づいて目標バイパス弁開度を演算する。
【０２３６】
すなわち、目標バイパス弁開度演算部Ｂ１０１６は、ドライ操作を行うにあたり、コンプレッサ流量が流量最低値であり、カソードガス圧力が大気圧検出値であることを前提として、目標バイパス弁開度を演算する。すなわち、目標バイパス弁開度演算部Ｂ１０１６は、目標バイパス弁開度を、バイパス弁開度が可能な限り小さく設定されるように演算される。
【０２３７】
ステップＳ９２において、湿潤制御要求目標圧力演算部Ｂ１０１４は、湿潤制御要求目標圧力を演算する。既に図５において説明したように、ドライ操作時では、湿潤制御要求目標圧力演算部Ｂ１０１４は、目標水収支、スタック温度、コンプレッサ流量としての流量最低値、及びバイパス弁開度として検出値に基づいて、湿潤制御要求目標圧力を演算する。
【０２３８】
すなわち、コンプレッサ流量として燃料電池スタック１の乾燥側への制御に対する寄与が最も低い流量最低値、及びバイパス弁開度として上記目標バイパス弁開度により減少方向（燃料電池スタック１の乾燥方向）に調節されている検出値に基づいて、湿潤制御要求目標圧力を演算する。
【０２３９】
ステップＳ９３において、湿潤制御要求目標流量演算部Ｂ１０１５は、湿潤制御要求目標流量を演算する。既に図５において説明したように、湿潤制御要求目標流量演算部Ｂ１０１５は、ドライ操作時において、目標水収支、スタック温度、バイパス弁開度の検出値、及びカソードガス圧力の検出値に基づいて湿潤制御要求目標流量を演算する。
【０２４０】
すなわち、湿潤制御要求目標流量演算部Ｂ１０１５は、上記目標バイパス弁開度により既に減少方向（燃料電池スタック１の乾燥方向）に調節されているバイパス弁開度の検出値、及び上記湿潤制御要求目標圧力により既に減少方向（燃料電池スタック１の乾燥方向）に調節されているカソードガス圧力の検出値に基づいて、湿潤制御要求目標流量を演算する。
【０２４１】
ステップＳ９４においてコントローラ２００は、ステップＳ９１で演算された目標バイパス弁開度、ステップＳ８２で演算された湿潤制御要求目標圧力、及びステップＳ９３で演算された湿潤制御要求目標流量に基づいて、バイパス弁２９、カソード調圧弁２７、及びコンプレッサ２２を制御する。なお、具体的な制御の態様は、ステップＳ８４の場合と同様である。
【０２４２】
具体的に、ステップＳ９１で算出された目標バイパス弁開度に基づいて、膜湿潤Ｆ／Ｂ制御部Ｂ１０１が、バイパス弁開度を調節する（図３及び図５参照）。また、目標圧力演算部Ｂ１０２がステップＳ９２で算出された湿潤制御要求目標圧力に基づいて、図９で説明したロジックにしたがい目標圧力を演算する。そして、流量・圧力Ｆ／Ｂ制御部Ｂ１０４がこの目標圧力に基づいてカソード調圧弁２７の開度を調節する。
【０２４３】
さらに、目標流量演算部Ｂ１０３が、ステップＳ９３で算出された湿潤制御要求目標流量に基づいて、図１１で説明したロジックにしたがい目標流量を演算する。そして、流量・圧力Ｆ／Ｂ制御部Ｂ１０４がこの目標流量に基づいてコンプレッサ出力を調節する。
【０２４４】
したがって、ドライ操作時においては、コンプレッサ流量を流量最低値及びカソードガス圧力を大気圧検出値として演算された目標バイパス弁開度により定まるバイパス弁開度は、湿潤制御パラメータとして最も優先された第１位乾燥制御パラメータとなる。
【０２４５】
また、ドライ操作時においては、バイパス弁開度を検出値及びコンプレッサ流量を流量最低値として演算された湿潤制御要求目標圧力に基づく目標圧力による定まるカソードガス圧力は、湿潤制御パラメータとして２番目に優先された第２位乾燥制御パラメータとなる。
【０２４６】
さらに、ドライ操作時においては、バイパス弁開度を検出値及びカソードガス圧力を検出値として演算された湿潤制御要求目標流量に基づく目標流量による定まるコンプレッサ流量は、湿潤制御パラメータとして最も優先度が低い第３位乾燥制御パラメータとなる。
【０２４７】
ここで、図２０において、ドライ操作時における各湿潤制御パラメータの優先順位と、これら湿潤制御パラメータのその増減傾向の関係を示した表を示す。
【０２４８】
図示のように、ドライ操作では、バイパス流量が減少するように、第１位乾燥制御パラメータとしてのバイパス弁開度が減少される。また、バイパス弁開度が減少された上で、第２位乾燥制御パラメータとしてのカソードガス圧力が減少するようにカソード調圧弁２７の開度が増加される。さらに、バイパス弁開度の減少及びカソードガス圧力の減少が実行された上で、第３位乾燥制御パラメータとしてのコンプレッサ流量が増加される。
【０２４９】
このように、ドライ操作においては、カソードガス圧力の減少及びコンプレッサ流量の増加に優先して、バイパス弁開度を減少させる。これにより、ドライ操作時において、バイパス弁開度が比較的大きい状態で、カソードガス圧力を減少させることを抑制することができる。したがって、当該カソードガス圧力の減少に起因してコンプレッサ流量を増加させるべくコンプレッサ２２の出力が上昇するよう制御されることが抑制され、その結果、消費電力の増大や騒音が発生をより低減することができる。
【０２５０】
次に、燃料電池システム１００の湿潤制御の一例における経時的な流れを説明する。
【０２５１】
図２１は、燃料電池システム１００の湿潤制御の一例における経時的な流れを説明するタイムチャートである。特に、図２１（ａ）〜図２１（ｆ）は、それぞれ、燃料電池システム１００の負荷（例えば、各負荷への電力供給量又は出力電流を意味する）、スタック温度、ＨＦＲ、圧力、流量、及びバイパス弁開度の経時変化を表している。
【０２５２】
なお、図２１（ｃ）では、目標ＨＦＲを実線で示し、ＨＦＲ測定値を破線で示す。また、図２１（ｄ）では、目標圧力を太い実線で示し、酸素分圧確保要求圧力を細い実線で示し、湿潤制御要求目標圧力を破線で示し、過剰昇圧防止上限圧力を一点鎖線で示す。なお、説明の簡略化のため、膜間差圧許容上限圧力は図において反映していない。さらに、図２１（ｅ）では、コンプレッサ流量を太い実線で示し、スタック供給流量を細い実線で示す。また、図２１（ｆ）では、バイパス弁開度の検出値を実線で示し、バイパス弁２９が全開状態のときに相当する開度を破線で示している。
【０２５３】
図に示す時間区間（ｉ）において、燃料電池システム１００はアイドル状態である。ここで、アイドル状態とは、燃料電池スタック１から走行モータやコンプレッサモータ２２ａ等の補記類への電力供給量が略ゼロであり、燃料電池スタック１の発電電力量が相対的に少なく、発電電力が図示しないバッテリ等に供給されている状態である。
【０２５４】
時間区間（ｉ）では、燃料電池スタック１への発電要求電力（要求負荷）が小さいため、燃料電池スタック１を湿潤させる要求は低い。したがって、燃料電池スタック１を比較的湿潤していない状態（乾燥した状態）に保つべく、目標ＨＦＲが比較的高い一定値に設定される。したがって、目標水収支が比較的小さい一定値に設定された状態で湿潤制御が行われている。
【０２５５】
一方、時間区間（ｉ）において、図９で説明したロジックにしたがいカソードガス圧力の上限値とされる過剰昇圧防止上限圧力は、要求負荷やスタック温度が低いため、比較的低い値に設定されている（図２１（ａ）、（ｂ）、（ｄ））。したがって、カソードガス圧力は過剰昇圧防止上限圧力に応じた比較的低い値をとる。また、上述した湿潤制御の結果として、バイパス弁開度は比較的小さい一定値に設定される（図２１（ｆ））。
【０２５６】
時間区間（ｉｉ）において、アイドル状態が終了して要求負荷及びスタック温度が上昇し（図２１（ａ）、（ｂ））、燃料電池システム１００の負荷が上昇する。これにともない、要求負荷及びスタック温度が上昇し、目標ＨＦＲが低下する（図２１（ｃ））。ここで、図示のように時間区間（ｉｉ）では、ＨＦＲ測定値が目標ＨＦＲ値を超えた状態となる。したがって、目標水収支よりも実水収支が低くなり、目標湿潤状態を実現すべくウェット操作が開始されることとなる。
【０２５７】
ここで、時間区間（ｉｉ）におけるウェット操作では、要求負荷の上昇にもとない図１１で説明した酸素分圧確保下限流量をある程度の値に確保する必要がある。したがって、図１１で示すロジックから理解されるように、湿潤制御要求目標流量を減少させたとしても目標流量を減少させることはできない。したがって、ウェット操作を行うにあたり、図５で説明したロジックにしたがい、第１位湿潤制御パラメータであるコンプレッサ流量の減少ではなくその次に優先される第２位湿潤制御パラメータであるカソードガス圧力の増加させる操作が実行される（図２１（ｄ）の目標圧力参照）。一方、図９のロジックに従えば、目標圧力は過剰昇圧防止上限圧力以下に制御されるので、カソードガス圧力は上限である過剰昇圧防止上限圧力に制限されつつ増加されることとなる。
【０２５８】
また、時間区間（ｉｉ）では、カソードガス圧力を過剰昇圧防止上限圧力まで増加させることで、燃料電池スタック１を要求される程度に湿潤方向へ移行させることができるので、第３位湿潤制御パラメータであるバイパス弁開度は維持されたままである。
【０２５９】
時間区間（ｉｉｉ）において、燃料電池システム１００の負荷の上昇が終了する。これに伴い、目標ＨＦＲが静定する。そして、時間区間（ｉｉ）からのウェット操作により湿潤が進行し、目標水収支よりも実水収支が高くなる。したがって、時間区間（ｉｉｉ）では、目標湿潤状態を実現すべくドライ操作が開始される。
【０２６０】
ここで、時間区間（ｉｉｉ）のドライ操作では、図５で説明したロジックにしたがい、操作することが最も優先される第１位乾燥制御パラメータであるバイパス弁開度がゼロとされる（図２１（ｆ））。そして、バイパス弁開度をゼロとするドライ操作を補完するように、第２位乾燥制御パラメータであるカソードガス圧力を減少させる（図２１（ｄ））。これにより、カソードガス圧力が、図９で説明した下限値の酸素分圧確保要求圧力まで減少する。なお、これら操作により、燃料電池スタック１を要求される程度に乾燥方向へ移行させることができるので、第３位乾燥制御パラメータであるコンプレッサ流量は維持される（図２１（ｅ））。
【０２６１】
時間区間（ｉｖ）において、時間区間（ｉｉｉ）におけるドライ操作の結果、ＨＦＲ測定値が目標ＨＦＲに静定し（図２１（ｃ））、そして、カソードガス圧力が下限値である酸素分圧確保要求圧力まで低下する（図２１（ｄ））。
【０２６２】
時間区間（ｖ）において、スタック温度の上昇に応じてＨＦＲ測定値が増加する。これにより、目標水収支よりも実水収支が低くなり、ウェット操作が開始される。このウェット操作において、図１１のロジックにしたがい、第１位湿潤制御パラメータであるコンプレッサ流量について、酸素分圧確保下限流量を確保する観点から目標流量は減少しない。したがって、このウェット操作では、第２位湿潤制御パラメータであるカソードガス圧力を増加させるべく、目標圧力を増加させる。
【０２６３】
次に、時間区間（ｖｉ）において、時間区間（ｖ）のウェット操作によりカソードガス圧力が上昇する。したがって、図１１のロジックにしたがい、圧力確保要求流量が増加し、結果として目標流量が増加するため、コンプレッサ流量が増加する。
【０２６４】
そして、時間区間（ｖｉｉ）において、時間区間（ｖ）のウェット操作によるカソードガス圧力の増加にともない、カソードガス圧力が再度過剰昇圧防止上限圧力に到達する。したがって、図９のロジックにしたがえば、これ以上、カソードガス圧力は増加しない。しかしながら、燃料電池スタック１はまだ目標湿潤状態に到達してないので、第３位湿潤制御パラメータであるバイパス弁開度の増加が開始される（図２１（ｆ））。このバイパス弁開度の増加により、ＨＦＲ測定値が目標ＨＦＲに近づくように減少する（図２１（ｃ））。
【０２６５】
時間区間（ｖｉｉｉ）において、ＨＦＲ測定値が時間区間（ｖｉｉ）から引き続き減少しており、目標ＨＦＲに静定する（図２１（ｃ））。また、負荷も高負荷状態及びスタック温度も高温状態に静定する（図２１（ａ）及び（ｂ））。
【０２６６】
時間区間（ｉｘ）において、負荷及びスタック温度が減少する。この負荷の減少にともない、過剰昇圧防止上限圧力が低下するので（図２１（ｄ））、図９のロジックにしたがい、カソードガス圧力が過剰昇圧防止上限圧力に制限されつつ低下することとなる。また、カソードガス圧力の低下にともない、ＨＦＲ測定値がさらに増加する（燃料電池スタック１がより乾燥側になる）。
【０２６７】
したがって、再度、ウェット操作が行われる。ここで、第１位湿潤制御パラメータであるコンプレッサ流量は、図１１のロジックにしたがい、酸素分圧確保下限流量に制限されているため、減少しない。また、第２位湿潤制御パラメータであるカソードガス圧力は、過剰昇圧防止上限圧力に制限されているため、図９のロジックにしたがい増加しない。したがって、本ウェット操作においては、第３位湿潤制御パラメータであるバイパス弁開度をさらに増加させ、全開相当の開度とする（図２１（ｆ））。
【０２６８】
次に、時間区間（ｘ）において、スタック温度の低下及び時間区間（ｉｘ）における上記ウェット操作にともない、ＨＦＲ測定値が低下する（図２１（ｃ））。その結果、燃料電池スタック１の湿潤が進み、目標水収支よりも実水収支よりも高くなる。したがって、ドライ操作が行われる。本ドライ操作においては、第１位乾燥制御パラメータであるバイパス弁開度を減少させる（図２１（ｆ））。また、本時間区間（ｘ）では、スタック温度の低下にともない、過剰昇圧防止上限圧力が低下する（図２１（ｄ））。したがって、過剰昇圧防止上限圧力に制限されているカソードガス圧力も低下する。
【０２６９】
時間区間（ｘｉ）において、バイパス弁開度の減少（ウェット操作）が終了し、燃料電池システム１００は再びアイドル状態に移行する。
【０２７０】
以上、説明した本実施形態にかかる燃料電池システム１００の制御方法の効果について説明する。
【０２７１】
本実施形態によれば、カソードガスの一部をバイパスさせつつ燃料電池としての燃料電池スタック１に供給する燃料電池システム１００で、湿潤制御パラメータを調節して燃料電池スタック１の湿潤状態を制御する燃料電池システム１００の湿潤状態制御方法が提供される。そして、この燃料電池システム１００の湿潤状態制御方法では、湿潤制御パラメータが、バイパス弁開度、カソードガス圧力、及びカソードガス流量としてのコンプレッサ流量を含み、燃料電池スタック１を湿潤方向に制御する際（ウェット操作時）に、バイパス弁開度の調節に優先してカソードガス圧力及びコンプレッサ流量を調節する。
【０２７２】
特に、本実施形態では、燃料電池スタック１と、燃料電池スタック１を含むカソード系１、２１、２６、２８にカソードガスを供給するカソードガス供給装置としてのコンプレッサ２２と、コンプレッサ２２から燃料電池スタック１に供給されるカソードガスの一部をバイパスするバイパス通路２８と、バイパス通路２８に設けられるバイパス弁２９と、バイパス弁２９の開度を調節するバイパス弁開度調節装置としての膜湿潤Ｆ／Ｂ制御部Ｂ１０１と、カソードガス圧力を調節するカソードガス圧力調節装置としてのカソード調圧弁２７と、コンプレッサ２２によりカソード系１、２１、２６、２８に供給されるカソードガス流量を調節するカソードガス流量調節装置としてのコンプレッサモータ２２ａと、燃料電池スタック１の湿潤状態を取得する湿潤状態取得装置としてのインピーダンス計測装置６と、バイパス弁２９の開度を取得するバイパス弁開度取得装置としての開度センサ２９ａと、カソードガス圧力を取得するカソードガス圧力取得部としてのカソード圧力センサ２５と、コンプレッサ流量を取得するカソードガス流量取得部としてのエアフローメータ２３と、膜湿潤Ｆ／Ｂ制御部Ｂ１０１によるバイパス弁開度の調節、カソード調圧弁２７によるカソードガス圧力の調節、及びコンプレッサモータ２２ａによるコンプレッサ流量の調節の優先順位を設定する優先順位設定部Ｂ１０１３と、を有する湿潤状態制御装置が提供される。
【０２７３】
そして、この湿潤状態制御装置では、優先順位設定部Ｂ１０１３は、燃料電池スタック１を湿潤方向に制御する際に、膜湿潤Ｆ／Ｂ制御部Ｂ１０１によるバイパス弁開度の調節に対して、カソード調圧弁２７によるカソードガス圧力の調節及びコンプレッサモータ２２ａによるカソードガス流量の調節が優先されるように優先順位を設定する。
【０２７４】
これにより、ウェット操作にあたり、バイパス弁開度の調節に優先して、カソードガス圧力及びコンプレッサ流量が調節されることとなる。したがって、ウェット操作時に、コンプレッサ流量やカソードガス圧力の調節がなされていない状態でバイパス弁開度を調節することにより発生するスタック供給流量の過不足を抑制し、燃料電池スタック１の湿潤状態を好適に維持することができる。
【０２７５】
また、本実施形態では、燃料電池スタック１を乾燥方向に制御するドライ操作を実行する際に、コンプレッサ流量及びカソードガス圧力の調節に優先してバイパス弁開度を調節する。
【０２７６】
特に、本実施形態の燃料電池システム１００の湿潤状態制御装置では、優先順位設定部Ｂ１０１３は、ドライ操作の際に、カソード調圧弁２７によるカソードガス圧力の調節及びコンプレッサモータ２２ａによるによるカソードガス流量の調節の少なくとも一方に対し、膜湿潤Ｆ／Ｂ制御部Ｂ１０１によるバイパス弁開度の調節を優先させる。
【０２７７】
これにより、ドライ操作時においては、バイパス弁開度が調節されていない状態で、コンプレッサ流量やカソードガス圧力が調節されることを抑制することができる。したがって、ドライ操作時に、バイパス弁開度が調節されていない状態でコンプレッサ流量やカソードガス圧力を調節することにより発生するスタック供給流量の過不足を抑制し、燃料電池スタック１の湿潤状態を好適に維持することができる。
【０２７８】
また、本実施形態によれば、カソードガスの一部をバイパスさせつつ燃料電池としての燃料電池スタック１に供給する燃料電池システム１００で、湿潤制御パラメータを調節して燃料電池スタック１の湿潤状態を目標湿潤状態に近づけるように制御する燃料電池システム１００の湿潤状態制御方法が提供される。そして、この湿潤状態制御方法では、湿潤制御パラメータが、バイパス弁開度、カソードガス圧力、及びカソードガス流量としてのコンプレッサ流量を含み、ウェット操作の際には、カソードガス流量としてのコンプレッサ流量の減少及びカソードガス圧力の増加を実行し、コンプレッサ流量の減少及びカソードガス圧力の増加による燃料電池スタック１の湿潤方向への制御を補完するように、バイパス弁開度を増加させる。
【０２７９】
これにより、ウェット操作時において、バイパス弁開度を増加させることが優先して実行され、コンプレッサ流量の減少及びカソードガス圧力の増加が補助的に実行されることとなる。したがって、ウェット操作時に、燃料電池スタック１の湿潤状態を目標湿潤状態により確実に近づけつつ、コンプレッサ流量の減少やカソードガス圧力の増加がなされていない状態でバイパス弁開度を増加させることによるスタック供給流量の過不足を抑制し、燃料電池スタック１の湿潤状態を好適に維持することができる。
【０２８０】
特に、ウェット操作時において、コンプレッサ流量の減少がバイパス弁開度の増加に優先して実行されることで、コンプレッサ流量が低下する前にバイパス弁開度を増加させた結果、目標流量が高く設定されてしまいコンプレッサ出力が過剰に増加することによる消費電力の増大や騒音の発生を抑制することができる。
【０２８１】
さらに、ウェット操作時において、カソードガス圧力の増加がバイパス弁開度の増加に優先して実行されることとなる。したがって、カソードガス圧力が増加する前にバイパス弁開度を増加させた結果、燃料電池スタック１へのカソードガスの供給流量が減少し、燃料電池スタック１の出力電圧の低下や燃料電池セル電圧のばらつきが増大することを抑制することができる。
【０２８２】
また、本実施形態における湿潤状態制御方法では、コントローラ２００が、燃料電池スタック１を湿潤方向に制御するウェット操作の際には、カソードガス圧力の最低値である大気圧検出値、及びバイパス弁開度の最低値（＝０）に基づいてコンプレッサ２２の湿潤制御要求目標流量を演算し、コンプレッサ流量検出値、及びバイパス弁開度の最低値に基づいてカソードガスの湿潤制御要求目標圧力を演算し、カソードガス圧力検出値、コンプレッサ流量検出値に基づいてバイパス弁開度目標値を演算し、コンプレッサ流量、カソードガス圧力、及びバイパス弁開度を、それぞれ、湿潤制御要求目標流量、湿潤制御要求目標圧力、及び目標バイパス弁開度に近づくように調節する。
【０２８３】
これにより、ウェット操作時において、コンプレッサ流量の減少、カソードガス圧力の増加、及びバイパス弁開度の増加の順に操作の優先順位が定められることとなる。したがって、コンプレッサ流量やカソードガス圧力の調節がなされていない状態でバイパス流量を調節しないようにする構成をより容易に実現することができる。
【０２８４】
さらに、本実施形態における湿潤状態制御方法では、燃料電池スタック１を乾燥方向に制御するドライ操作の際に、バイパス弁開度を減少させる操作を行い、このバイパス弁開度の減少操作を補完するように、コンプレッサ流量の増加及びカソードガス圧力の減少を実行する。
【０２８５】
これにより、ドライ操作時において、バイパス弁開度が減少した後にコンプレッサ流量が増加するので、バイパス弁開度が減少する前にコンプレッサ流量が増加することで生じ得る、燃料電池スタック１へのカソードガスの過剰供給をより確実に防止することができる。
【０２８６】
また、ドライ操作時において、バイパス弁開度が減少した後にカソードガス圧力が減少するので、バイパス流量が減少しきっていない状態でカソードガス圧力を減少させることを抑制することができる。これにより、カソードガス圧力の減少に起因してコンプレッサ流量を増加させるべくコンプレッサ出力が上昇するよう制御されることが抑制され、その結果、消費電力の増大や騒音が発生をより低減することができる。
【０２８７】
さらに、本実施形態における湿潤状態制御方法では、コントローラ２００は、燃料電池スタック１を乾燥方向に制御するドライ操作の際には、カソードガスの圧力の最低値である大気圧検出値、及びカソードガス流量の最低値である流量最低値に基づいてバイパス弁開度の目標値を演算し、バイパス開度の検出値、及び流量最低値に基づいて湿潤制御要求目標圧力を演算し、バイパス弁開度の検出値、及びカソードガス圧力の検出値に基づいて湿潤制御要求目標流量を演算し、バイパス弁開度、カソードガス圧力、及びカソードガス流量を、それぞれ、目標バイパス弁開度、湿潤制御要求目標圧力、及び湿潤制御要求目標流量に近づくように調節する。
【０２８８】
これにより、ドライ操作時において、バイパス弁開度の減少、カソードガス圧力の減少、及びコンプレッサ流量の順に操作の優先順位が定められることとなる。バイパス弁開度を減少させた後に、カソードガス圧力の減少及びコンプレッサ流量の増加を実行する構成をより容易に実現することができる。
【０２８９】
また、本実施形態における湿潤状態制御方法では、カソードガス圧力が圧力上限値としての過剰昇圧防止上限圧力を超えないように制限される。
【０２９０】
これにより、カソードガス圧力が無駄に増加することが抑制され、コンプレッサ流量が増加し続けることによるコンプレッサ２２の出力の増加を抑制し、燃費の改善や騒音の抑制に寄与することができる。
【０２９１】
さらに、本実施形態における湿潤状態制御方法では、過剰昇圧防止上限圧力を、要求負荷、及び燃料電池の温度であるスタック温度に基づいて演算している。
【０２９２】
これにより、高負荷状態などにおいては、目標圧力が高くなることから過剰昇圧防止上限圧力を相対的に高く設定する一方で、低負荷状態などにおいては、目標圧力が低くなることから過剰昇圧防止上限圧力を相対的に低く設定できる。特に、低負荷状態や低温時に、過剰昇圧防止上限圧力を相対的に低く設定しておけば、カソードガス圧力が過剰に増加することが抑制され、コンプレッサ出力を減少させることができ、燃費の改善や騒音の抑制に寄与することができる。
【０２９３】
なお、過剰昇圧防止上限圧力を、目標ＨＦＲや目標水収支等の目標湿潤状態に基づいて演算するようにしても良い。これにより、燃料電池スタック１が目標とする湿潤状態に応じて好適にカソードガス圧力の上限を調節することができる。
【０２９４】
また、本実施形態における燃料電池システム１００の制御方法では、コンプレッサ流量がその下限値である流量下限値（酸素分圧確保下限流量）を下回らないように調節される。
【０２９５】
これにより、ウェット操作時等においてコンプレッサ流量が過小になることにより、燃料電池スタック１に供給されるコンプレッサ流量が不足して発電状態が不安定になることが防止される。
【０２９６】
特に、流量下限値である酸素分圧確保下限流量は、燃料電池スタック１が要求するカソードガスの供給流量（スタック供給流量）を満たすように設定される。
【０２９７】
これにより、例えば要求負荷に応じた発電量を満たすために必要なスタック供給流量がより確実に確保されることとなり、燃料電池スタック１内の酸素濃度が好適に保たれ、発電状態が適切に維持される。
【０２９８】
さらに、流量下限値を、燃料電池スタック１内における局所水つまりを防止し得るように設定しても良い。これにより、より一層、燃料電池の湿潤状態が好適に保たれ、過乾燥やフラッディングが防止され、より良好な発電状態の維持に資することとなる。
【０２９９】
以上、本発明の実施形態について説明したが、上記実施形態は本発明の適用例の一部を示したに過ぎず、本発明の技術的範囲を上記実施形態の具体的構成に限定する趣旨ではない。
【０３００】
例えば、上記実施形態では、ウェット操作時に、コンプレッサ流量を第１位湿潤制御パラメータ、カソードガス圧力を第２位湿潤制御パラメータ、及びバイパス弁開度を第３位湿潤制御パラメータとして湿潤制御を行っている。
【０３０１】
しかしながら、本発明は、少なくともコンプレッサ流量及びカソードガス圧力の何れか一方が、バイパス弁開度よりも優先される湿潤制御パラメータとされるならば、必ずしも上記実施形態における湿潤制御パラメータの優先順位に限定されるものではない。すなわち、コンプレッサ流量を第１位湿潤制御パラメータ、バイパス弁開度を第２位湿潤制御パラメータ、及びカソードガス圧力を第３位湿潤制御パラメータとしても良い。また、カソードガス圧力を第１位湿潤制御パラメータ、バイパス弁開度を第２位湿潤制御パラメータ、及びコンプレッサ流量を第３位湿潤制御パラメータとしても良い。
【０３０２】
また、本実施形態においては、図５で説明したように、ウェット操作を実行するにあたり、調節量が最大とされるコンプレッサ流量が第１位湿潤制御パラメータとして優先され、カソードガス圧力やバイパス弁開度が第２位又は第３位湿潤制御パラメータとされている。しかしながら、優先順位の設定の態様はこれに限られず、例えば、ウェット操作にあたり、第１位湿潤制御パラメータであるコンプレッサ流量の調節を最初に行い、その後、第２位湿潤制御パラメータであるカソードガス圧力の調節を次に行い、最後にバイパス弁開度の調節を行うなど、各湿潤制御パラメータに時間的な優先関係を設定するようにしても良い。なお、ドライ操作においても、各湿潤制御パラメータに時間的な優先関係を設定するができる。
【０３０３】
さらに、ドライ操作時における、湿潤制御パラメータの優先順位についても、必ずしも上記実施形態に限定されるものではない。
【０３０４】
また、湿潤制御パラメータとして、コンプレッサ流量及びカソードガス圧力以外の他のパラメータ、例えばＨＲＢ回転数等が含まれていても良い。
【０３０５】
また、本実施形態の燃料電池システム１００の各構成も、上記実施形態に限定されるものではない。例えば、カソード調圧弁２７を電磁弁に代えて、オリフィス等の固定開度を有する絞り部として構成しても良い。また、コンプレッサ２２に、カソードガス排出通路２６からのカソードガスや高圧タンク３１からのアノードガスの供給を受けて駆動するタービンを付属しても良い。
【０３０６】
また、本実施形態におけるＨＦＲ測定値を、スタック温度により補正するようにしても良い。
【０３０７】
なお、上記実施形態は、適宜組み合わせ可能である。
【０３０８】
本願は、２０１６年３月１５日に日本国特許庁に出願された特願２０１６−０５１３４０号に基づく優先権を主張し、この出願の全ての内容は参照により本明細書に組み込まれる。
【図１】
2017158957.tif 000008
【図２】
2017158957.tif 000009
【図３】
2017158957.tif 000010
【図４】
2017158957.tif 000011
【図５】
2017158957.tif 000012
【図６】
2017158957.tif 000013
【図７】
2017158957.tif 000014
【図８】
2017158957.tif 000015
【図９】
2017158957.tif 000016
【図１０】
2017158957.tif 000017
【図１１】
2017158957.tif 000018
【図１２】
2017158957.tif 000019
【図１３】
2017158957.tif 000020
【図１４】
2017158957.tif 000021
【図１５】
2017158957.tif 000022
【図１６】
2017158957.tif 000023
【図１７】
2017158957.tif 000024
【図１８】
2017158957.tif 000025
【図１９】
2017158957.tif 000026
【図２０】
2017158957.tif 000027
【図２１】
2017158957.tif 000028
【手続補正書】
【提出日】平成30年8月28日(2018.8.28)
【手続補正１】
【補正対象書類名】明細書
【補正対象項目名】０００６
【補正方法】変更
【補正の内容】
【０００６】
【図１】図１は、本発明の実施形態における燃料電池システムの構成を示す図である。
【図２】図２は、湿潤制御にかかるコントローラの全体的な機能を説明するブロック図である。
【図３】図３は、膜湿潤Ｆ／Ｂ制御部による制御の詳細を説明する図である。
【図４】図４は、目標水収支の演算態様を説明する図である。
【図５】図５は、ウェット操作時における各湿潤制御パラメータの優先順位を設定するロジックを説明する図である。
【図６】図６は、膜湿潤制御マップを示す図である。
【図７】図７は、バイパス弁開度とバイパス流量比率の関係を示すマップである。
【図８】図８は、目標圧力演算部の機能を説明する図である。
【図９】図９は、目標圧力の演算態様を説明するブロック図である。
【図１０】図１０は、目標流量演算部の機能を説明する図である。
【図１１】図１１は、目標流量の演算態様を説明するブロック図である。
【図１２】図１２は、空気流量・圧力Ｆ／Ｂ制御部の機能を説明する図である。
【図１３】図１３は、アノード系の制御を説明するブロック図である。
【図１４】図１４は、目標ＨＲＢ回転数マップの一例を示す。
【図１５】図１５は、燃料電池システムの湿潤制御を説明するフローチャートである。
【図１６】図１６は、ウェット操作の流れを説明するフローチャートである。
【図１７】図１７は、ウェット操作時における各湿潤制御パラメータの優先順位と、これら湿潤制御パラメータの増減傾向の関係を示した表である。
【図１８】図１８は、ある要求負荷におけるウェット操作時の燃料電池システムの状態の変化の一例を説明する図である。
【図１９】図１９は、ドライ操作の流れを説明するフローチャートである。
【図２０】図２０は、ドライ操作時における各湿潤制御パラメータの優先順位と、これら湿潤制御パラメータの増減傾向の関係を示した表である。
【図２１】図２１は、燃料電池システムの湿潤制御における経時的な流れを説明するタイムチャートである。
【手続補正２】
【補正対象書類名】明細書
【補正対象項目名】００６２
【補正方法】変更
【補正の内容】
【００６２】
すなわち、本実施形態の湿潤制御では、コントローラ２００は、主として、コンプレッサ流量、カソードガス圧力、及びバイパス弁開度の３つの湿潤制御パラメータを制御する。すなわち、湿潤制御においてコントローラ２００により制御されるアクチュエータは、コンプレッサ２２、カソード調圧弁２７、及びバイパス弁２９である。
【手続補正３】
【補正対象書類名】明細書
【補正対象項目名】００７０
【補正方法】変更
【補正の内容】
【００７０】
また、カソードガス圧力を減少させる操作によれば、カソードガス圧力が減少するほど、燃料電池スタック１から排水される排水量が増加する。したがって、燃料電池スタック１内から水分がより排出されるようになり、燃料電池スタック１の乾燥がより進行することとなる。
【手続補正４】
【補正対象書類名】明細書
【補正対象項目名】０１０４
【補正方法】変更
【補正の内容】
【０１０４】
図７は、バイパス弁開度とバイパス流量比率の関係を示すマップである。ここで、バイパス流量比率λとは、バイパス弁開度に応じたコンプレッサ流量の内のバイパス流量の割合を意味する。したがって、バイパス流量＝バイパス流量比率λ×コンプレッサ流量となる。なお、図７に示すバイパス流量マップを用いてバイパス弁開度からバイパス流量比率λが定まるので、コンプレッサ流量からバイパス流量を求めることができる。
【手続補正５】
【補正対象書類名】明細書
【補正対象項目名】０１０５
【補正方法】変更
【補正の内容】
【０１０５】
酸素消費流量Ｑo#expは、燃料電池スタック１内における電気化学反応によって消費されるカソードガス中の酸素の流量である。酸素消費流量Ｑo#expは、例えば、予め実験等により定められる酸素消費流量変換係数を要求負荷に乗じることで求めることができる。
【手続補正６】
【補正対象書類名】明細書
【補正対象項目名】０１３２
【補正方法】変更
【補正の内容】
【０１３２】
以上のように、ウェット操作時における湿潤制御要求目標圧力演算部Ｂ１０１４、湿潤制御要求目標流量演算部Ｂ１０１５、及び目標バイパス弁開度演算部Ｂ１０１６による各湿潤制御パラメータの目標値の演算態様によれば、ウェット操作を実行するにあたり、コンプレッサ流量を減少させる操作が、燃料電池の湿潤方向へ制御することに最も寄与するように湿潤制御要求目標流量が演算される。
【手続補正７】
【補正対象書類名】明細書
【補正対象項目名】０２０３
【補正方法】変更
【補正の内容】
【０２０３】
図１６は、ステップＳ８０で実行されるウェット操作の流れを説明するフローチャートである。
【手続補正８】
【補正対象書類名】明細書
【補正対象項目名】０２５７
【補正方法】変更
【補正の内容】
【０２５７】
ここで、時間区間（ｉｉ）におけるウェット操作では、要求負荷の上昇にともない図１１で説明した酸素分圧確保下限流量をある程度の値に確保する必要がある。したがって、図１１で示すロジックから理解されるように、湿潤制御要求目標流量を減少させたとしても目標流量を減少させることはできない。したがって、ウェット操作を行うにあたり、図５で説明したロジックにしたがい、第１位湿潤制御パラメータであるコンプレッサ流量の減少ではなくその次に優先される第２位湿潤制御パラメータであるカソードガス圧力の増加させる操作が実行される（図２１（ｄ）の目標圧力参照）。一方、図９のロジックに従えば、目標圧力は過剰昇圧防止上限圧力以下に制御されるので、カソードガス圧力は上限である過剰昇圧防止上限圧力に制限されつつ増加されることとなる。
【手続補正９】
【補正対象書類名】明細書
【補正対象項目名】０２６８
【補正方法】変更
【補正の内容】
【０２６８】
次に、時間区間（ｘ）において、スタック温度の低下及び時間区間（ｉｘ）における上記ウェット操作にともない、ＨＦＲ測定値が低下する（図２１（ｃ））。その結果、燃料電池スタック１の湿潤が進み、目標水収支よりも実水収支が高くなる。したがって、ドライ操作が行われる。本ドライ操作においては、第１位乾燥制御パラメータであるバイパス弁開度を減少させる（図２１（ｆ））。また、本時間区間（ｘ）では、スタック温度の低下にともない、過剰昇圧防止上限圧力が低下する（図２１（ｄ））。したがって、過剰昇圧防止上限圧力に制限されているカソードガス圧力も低下する。
【手続補正１０】
【補正対象書類名】明細書
【補正対象項目名】０２７６
【補正方法】変更
【補正の内容】
【０２７６】
特に、本実施形態の燃料電池システム１００の湿潤状態制御装置では、優先順位設定部Ｂ１０１３は、ドライ操作の際に、カソード調圧弁２７によるカソードガス圧力の調節及びコンプレッサモータ２２ａによるカソードガス流量の調節の少なくとも一方に対し、膜湿潤Ｆ／Ｂ制御部Ｂ１０１によるバイパス弁開度の調節を優先させる。
【手続補正１１】
【補正対象書類名】明細書
【補正対象項目名】０２８７
【補正方法】変更
【補正の内容】
【０２８７】
さらに、本実施形態における湿潤状態制御方法では、コントローラ２００は、燃料電池スタック１を乾燥方向に制御するドライ操作の際には、カソードガスの圧力の最低値である大気圧検出値、及びカソードガス流量の最低値である流量最低値に基づいてバイパス弁開度の目標値を演算し、バイパス弁開度の検出値、及び流量最低値に基づいて湿潤制御要求目標圧力を演算し、バイパス弁開度の検出値、及びカソードガス圧力の検出値に基づいて湿潤制御要求目標流量を演算し、バイパス弁開度、カソードガス圧力、及びカソードガス流量を、それぞれ、目標バイパス弁開度、湿潤制御要求目標圧力、及び湿潤制御要求目標流量に近づくように調節する。
【国際調査報告】
2017158957.tif 000029
2017158957.tif 000030
2017158957.tif 000031
2017158957.tif 000032